(57)【要約】  サービングゲートウェイ（ＳＧＷ）ユーザプレーン機能がＳＧＷ制御プレーン機能から分離されているアーキテクチャを有するセルラ通信システムに関係するシステムおよび方法が開示される。いくつかの実施形態では、サービングゲートウェイ（ＳＧＷ）ユーザプレーン機能がＳＧＷ制御プレーン機能から分離されているアーキテクチャを有するセルラ通信システムは、個別の複数のＳＧＷユーザプレーン（ＳＧＷ−ＵＰ）サービスエリアに対応する複数の仮想ＳＧＷ−Ｃに分割されたサービングゲートウェイ制御プレーンエンティティ（ＳＧＷ−Ｃ）を有する。セルラ通信システムは、複数のＳＧＷ−ＵＰプールであって、各々が１つまたは複数のＳＧＷユーザエンティティ（ＳＧＷ−Ｕ）を含み、各ＳＧＷ−ＵＰプールが複数のＳＧＷ−ＵＰサービスエリア（３０）のうちの個別の１つにサービスを提供する、複数のＳＧＷ−ＵＰプールをさらに有する。このように、トラッキングエリア（ＴＡ）とＳＧＷ−ＵＰサービスエリアとの間の協調問題が回避される。
2019502330.tif 000002
【特許請求の範囲】
【請求項１】
セルラ通信システム（１０）であって、サービングゲートウェイ（ＳＧＷ）ユーザプレーン機能がＳＧＷ制御プレーン機能から分離されているアーキテクチャを有する、前記セルラ通信システム（１０）は、
サービングゲートウェイ制御プレーンエンティティ（ＳＧＷ−Ｃ）（２４）であって、個別の複数のＳＧＷユーザプレーン（ＳＧＷ−ＵＰ）サービスエリア（３０）に対応する複数の仮想ＳＧＷ−Ｃ（４４）に分割されているＳＧＷ−Ｃ（２４）と、
複数のＳＧＷ−ＵＰプール（２８）であって、各々が１つまたは複数のＳＧＷユーザエンティティ（ＳＧＷ−Ｕ）（２６）を含み、各ＳＧＷ−ＵＰプール（２８）が前記複数のＳＧＷ−ＵＰサービスエリア（３０）のうちの個別の１つにサービスを提供する、複数のＳＧＷ−ＵＰプール（２８）と、
を有するセルラ通信システム（１０）。
【請求項２】
前記複数の仮想ＳＧＷ−Ｃ（４４）のうちの各仮想ＳＧＷ−Ｃ（４４）は、モビリティマネジメントエンティティ（ＭＭＥ）（２２）によって、レガシーＳＧＷとして扱われる請求項１に記載のセルラ通信システム（１０）。
【請求項３】
トラッキングエリア（３６）のユーザ装置機器（ＵＥ）（１８）からアタッチ要求またはトラッキングエリア更新要求を受信し、
前記トラッキングエリア（３６）にサービスを提供する前記複数の仮想ＳＧＷ−Ｃ（４４）のうちの１つのインジケーションを取得し、
前記ＵＥ（１８）と、前記トラッキングエリア（３６）にサービスを提供する前記複数の仮想ＳＧＷ−Ｃ（４４）のうちの前記１つとの間のセッションを生成するよう前記ＳＧＷ−Ｃ（２４）と通信する、
ように動作可能なＭＭＥ（２２）をさらに含む請求項１または２に記載のセルラ通信システム（１０）。
【請求項４】
セルラ通信システム（１０）のためのサービングゲートウェイ制御プレーンエンティティ（ＳＧＷ−Ｃ）（２４）であって、前記セルラ通信システム（１０）は、サービングゲートウェイ（ＳＧＷ）ユーザプレーン機能がＳＧＷ制御プレーン機能から分離されているアーキテクチャを有し、前記ＳＧＷ−Ｃ（２４）は、
個別の複数の仮想ＳＧＷ−Ｃ（４４）であって、前記複数の仮想ＳＧＷ−Ｃ（４４）が個別の複数のＳＧＷユーザプレーン（ＳＧＷ−ＵＰ）サービスエリア（３０）に対応する、個別の複数の仮想ＳＧＷ−Ｃ（４４）を形成する複数のパーティションを有するＳＧＷ−Ｃ（２４）。
【請求項５】
前記複数の仮想ＳＧＷ−Ｃ（４４）のうちの各仮想ＳＧＷ−Ｃ（４４）は、モビリティマネジメントエンティティ（ＭＭＥ）（２２）によって、レガシーＳＧＷとして扱われる請求項４に記載のＳＧＷ−Ｃ（２４）。
【請求項６】
セルラ通信システム（１０）のためのサービングゲートウェイ制御プレーンエンティティ（ＳＧＷ−Ｃ）（２４）を実施するネットワークノード（４６）であって、前記セルラ通信システム（１０）は、サービングゲートウェイ（ＳＧＷ）ユーザプレーン機能がＳＧＷ制御プレーン機能から分離されているアーキテクチャを有し、前記ネットワークノード（４６）は、
少なくとも１つのプロセッサ（４８）と、
前記少なくとも１つのプロセッサ（４８）によって実行可能な命令を含むメモリであって、前記ネットワークノード（４６）は、
前記ＳＧＷ−Ｃ（２４）を、複数の仮想ＳＧＷ−Ｃ（４４）であって、個別の複数のＳＧＷユーザプレーン（ＳＧＷ−ＵＰ）サービスエリア（３０）に対応する、前記複数の仮想ＳＧＷ−Ｃ（４４）に分割するように動作可能である命令を含む前記メモリ（５０）と、
を備えるネットワークノード（４６）。
【請求項７】
前記複数の仮想ＳＧＷ−Ｃ（４４）のうちの各仮想ＳＧＷ−Ｃ（４４）は、モビリティマネジメントエンティティ（ＭＭＥ）（２２）によって、レガシーＳＧＷとして扱われる請求項６に記載のネットワークノード（４６）。
【請求項８】
サービングゲートウェイ（ＳＧＷ）ユーザプレーン機能がＳＧＷ制御プレーン機能から分離されているアーキテクチャを有するセルラ通信システム（１０）であって、
サービングゲートウェイ制御プレーンエンティティ（ＳＧＷ−Ｃ）（２４）と、
複数のＳＧＷユーザプレーン（ＳＧＷ−ＵＰ）プール（２８）であって、各々が１つまたは複数のＳＧＷユーザエンティティ（ＳＧＷ−Ｕ）（２６）を有し、各ＳＧＷ−ＵＰプール（２８）が個別のＳＧＷ−ＵＰサービスエリア（３０）を有する、前記複数のＳＧＷ−ＵＰプール（２８）と、
複数のモビリティマネジメントエンティティ（ＭＭＥ）プール（３２）であって、各々が１つまたは複数のＭＭＥ（２２）を有し、前記複数のＭＭＥプール（３２）の各ＭＭＥプール（３２）が、前記複数のＳＧＷ−ＵＰプール（２８）のうちの１つの前記ＳＧＷ−ＵＰサービスエリア（３０）内に完全にある個別のＭＭＥカバレッジエリア（３４）を有する、前記複数のＭＭＥプール（３２）と、
を有するセルラ通信システム（１０）。
【請求項９】
ＳＧＷ−ＵＰサービスエリア（３０）とＭＭＥカバレッジエリア（３４）との間に１：１のマッピングがある請求項８に記載のセルラ通信システム（１０）。
【請求項１０】
各ＳＧＷ−ＵＰプール（２８）に対して、前記ＳＧＷ−ＵＰプール（２８）内の前記１つまたは複数のＳＧＷ−Ｕ（２６）によって提供されたＳＧＷ−Ｕリソースは、前記ＳＧＷ−ＵＰサービスエリア（３０）内の全てのトラッキングエリア（３６）にサービスを提供できる請求項８または９に記載のセルラ通信システム（１０）。
【請求項１１】
ＳＧＷ−Ｕ割り当ては最適化される請求項８乃至１０の何れか１項に記載のセルラ通信システム（１０）。
【請求項１２】
ＳＧＷ−Ｕ割当ては、基地局（１４）に関する前記１つまたは複数のＳＧＷ−Ｕ（２６）のロケーションに基づいて最適化される請求項１１に記載のセルラ通信システム（１０）。
【請求項１３】
ユーザ装置機器（ＵＥ）（１８）のためのＳＧＷ−Ｕ再割当てが有益であると前記ＳＧＷ−Ｃ（２４）が判定すると、
・前記ＳＧＷ−Ｃ（２４）が、前記ＵＥ（１８）に割当てられたＭＭＥ（２２）への前記ＳＧＷ−Ｕ再割当てのインジケーションを送信する請求項１１に記載のセルラ通信システム（１０）。
【請求項１４】
前記ＳＧＷ−Ｃ（２４）が、ベアラ変更応答メッセージにおけるサービス要求手順の間に、前記ＭＭＥ（２２）への前記ＳＧＷ−Ｕ再割当てのインジケーションを送信する請求項１３に記載のセルラ通信システム（１０）。
【請求項１５】
前記ＳＧＷ−Ｃ（２４）が、アクティブフラグ設定でトラッキングエリアアップデートの間に、前記ＭＭＥ（２２）への前記ＳＧＷ−Ｕ再割当てのインジケーションを送信する請求項１３に記載のセルラ通信システム（１０）。
【請求項１６】
前記ＳＧＷ−Ｕ再割当ての前記インジケーションが、個別のＳＧＷ−Ｕ（２６）のインターネットプロトコル（ＩＰ）アドレスおよびトンネルエンドポイント識別子（ＴＥＩＤ）を含む請求項１３乃至１５の何れか１項に記載のセルラ通信システム（１０）。
【請求項１７】
前記ＳＧＷ−Ｃ（２４）が、ＵＥ（１８）に対するＳＧＷ−Ｕ再割当てが有益であると判定することに応じて、前記ＳＧＷ−Ｃ（２４）が前記ＵＥ（１８）に対するＳＧＷ−Ｕ再割当てを開始する請求項１１に記載のセルラ通信システム（１０）。
【請求項１８】
前記ＳＧＷ−Ｃ（２４）が、対応するサービスエリア内のＳＧＷ−Ｕ機能を選択できるように、どのＭＭＥプール（３２）が使用されるかについて前記ＳＧＷ−Ｃ（２４）が通知される請求項８乃至１７の何れか１項に記載のセルラ通信システム（１０）。
【請求項１９】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）の動作方法であって、
ＳＧＷ制御プレーンエンティティ（ＳＧＷ−Ｃ）（２４）へ、ユーザ装置（ＵＥ）（１８）の現在のロケーションを送信すること（２０２）と、
前記ＳＧＷ−Ｃ（２４）から、前記ＵＥ（１８）の前記現在のロケーションに基づいて前記ＵＥ（１８）に割当てられたＳＧＷ−Ｕ（２６）のＳＧＷユーザプレーンエンティティ（ＳＧＷ−Ｕ）識別子を受信すること（２０６）と、
前記ＵＥ（１８）から、トラッキングエリアアップデートであって、前記ＵＥ（１８）が位置するトラッキングエリアを識別する前記トラッキングエリアアップデートを受信すること（２０８）と、
前記ＵＥ（１８）に割当てられた前記ＳＧＷ−Ｕ（２６）の前記ＳＧＷ−Ｕ識別子に基づいて、前記トラッキングエリアアップデートによって識別される前記トラッキングエリアが前記ＵＥ（１８）に割当てられた前記ＳＧＷ−Ｕ（２６）によってサービスを提供されるかどうかを判定すること（２１０−２１４）と、
を含む方法。
【請求項２０】
前記トラッキングエリアアップデートによって識別される前記トラッキングエリア（３６）が前記ＵＥ（１８）に割当てられた前記ＳＧＷ−Ｕ（２６）によってサービスを提供されるかどうかを判定することは、
前記ＳＧＷ−Ｕ（２６）の前記ＳＧＷ−Ｕ識別子を用いて前記ＳＧＷ−Ｕ（２６）によってサービスを提供されるトラッキングエリア（３６）のリストを取得すること（２１０−２１２）と、
前記トラッキングエリアアップデートによって識別される前記トラッキングエリア（３６）が、前記ＵＥ（１８）に割当てられた前記ＳＧＷ−Ｕ（２６）の前記ＳＧＷ−Ｕ識別子を用いて取得された前記ＳＧＷ−Ｕ（２６）によってサービスを提供される前記トラッキングエリアのリストにあるかどうかを判定すること（２１４）と、
を含む請求項１９に記載の方法。
【請求項２１】
前記ＳＧＷ−Ｕ（２６）の前記ＳＧＷ−Ｕ識別子は、前記ＳＧＷ−Ｕ（２６）の完全修飾ドメイン名（ＦＱＤＮ）であり、前記ＳＧＷ−Ｕ（２６）によってサービスを提供される前記トラッキングエリア（３６）のリストを取得すること（２１０−２１２）は、前記ＳＧＷ−Ｕ（２６）の前記ＦＱＤＮを用いてドメイン・ネーム・システム（ＤＮＳ）から前記ＳＧＷ−Ｕ（２６）によってサービスを提供される前記トラッキングエリア（３６）のリストを検索すること（２１０−２１２）を含む請求項２０に記載の方法。
【請求項２２】
前記トラッキングエリアアップデートによって特定される前記トラッキングエリア（３６）が前記ＵＥ（１８）に割当てられた前記ＳＧＷ−Ｕ（２６）によってサービスを提供されるかどうかを判定すること（２１０−２１４）は、
サーバに、前記トラッキングエリアアップデートで識別された前記トラッキングエリア（２６）が前記ＳＧＷ−Ｕ識別子を有する前記ＳＧＷ−Ｕによってサービスを提供されるかどうかを問い合わせる要求を送信すること（２１０）と、
前記サーバから、前記トラッキングエリアアップデートで識別された前記トラッキングエリア（３６）が前記ＳＧＷ−Ｕ識別子を有する前記ＳＧＷ−Ｕによってサービスを提供されるかどうかのインジケーションを含む応答を受信すること（２１２）と、
を含む請求項１９に記載の方法。
【請求項２３】
前記ＳＧＷ−Ｕ（２６）の前記ＳＧＷ−Ｕ識別子は前記ＳＧＷ−Ｕ（２６）の完全修飾ドメイン名（ＦＱＤＮ）であり、
前記要求を送信すること（２１０）は、ドメイン・ネーム・サーバ（ＤＮＳ）への要求であって、前記ＳＧＷ−Ｕ（２６）の前記ＦＱＤＮおよび前記トラッキングエリア（３６）の識別子を含む前記要求を送信すること（２１０）を含む請求項２２に記載の方法。
【請求項２４】
前記トラッキングエリア（３６）が前記ＳＧＷ−Ｕ（２６）によってサービスを提供される場合に、前記トラッキングエリア（３６）を前記ＵＥ（１８）トラッキングエリアリストに追加すること（２１４）と、
前記トラッキングエリア（３６）が前記ＳＧＷ−Ｕ（２６）によってサービスを提供されていない場合に、前記ＵＥ（１８）の新たなトラッキングエリアリストが前記トラッキングエリアアップデートで識別される前記トラッキングエリア（３６）のみを含むように、前記ＵＥ（１８）の前記トラッキングエリアリストを削除すること（２１４）と、
をさらに含む請求項１９乃至２３の何れか１項に記載の方法。
【請求項２５】
前記トラッキングエリアアップデートによって指示される前記トラッキングエリア（３６）が前記ＵＥ（１８）に対して割当てられる前記ＳＧＷ−Ｕ（２６）によってサービスを提供されない場合、前記ＳＧＷ−Ｃ（２４）を介して前記ＵＥ（１８）に対してＳＧＷ−Ｕ再割当て手順を開始すること（２１６）をさらに含む請求項１９に記載の方法。
【請求項２６】
前記トラッキングエリアアップデートによって指示される前記トラッキングエリア（３６）が前記ＵＥ（１８）に対して割当てられた前記ＳＧＷ−Ｕ（２６）によってサービスを提供されない場合、
前記ＵＥ（１８）のトラッキングエリア識別子（ＴＡＩ）リストを削除し（２１４）、前記ＵＥ（１８）に対する新たなＴＡＩリストを開始することと、
前記トラッキングエリアアップデートによって指示される前記トラッキングエリア（３６）に基づいて、新たなＳＧＷ−Ｕ（２６）が前記ＵＥ（１８）に割当てられる必要があることのインジケーションを前記ＳＧＷ−Ｃ（２４）に送信すること（２１６）と、
をさらに含む請求項１９に記載の方法。
【請求項２７】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、前記ＭＭＥ（２２）は請求項１９乃至２６の何れか１項の方法に従って動作するよう適合されるＭＭＥ。
【請求項２８】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、
ＳＧＷ制御プレーンエンティティ（ＳＧＷ−Ｃ）（２４）へ、ユーザ装置（ＵＥ）（１８）の現在のロケーションを送信するよう動作可能な送信モジュール（５４）と、
前記ＳＧＷ−Ｃ（２４）から、前記ＵＥ（１８）の前記現在のロケーションに基づいて前記ＵＥ（１８）に割当てられたＳＧＷユーザプレーンエンティティ（ＳＧＷ−Ｕ）（２６）のＳＧＷ−Ｕ識別子を受信するよう動作可能な第一の受信モジュール（５４）と、
前記ＵＥ（１８）からトラッキングエリアアップデートであって、前記ＵＥ（１８）が配置されるトラッキングエリア（３６）を識別する前記トラッキングエリアアップデートを受信するよう動作可能な第二の受信モジュール（５４）と、
前記ＵＥ（１８）に割当てられた前記ＳＧＷ−Ｕ（２６）によって、前記トラッキングエリアアップデートによって識別される前記トラッキングエリア（３６）がサービスを提供されるかどうかを、前記ＵＥ（１８）に割当てられた前記ＳＧＷ−Ｕ（２６）の前記ＳＧＷ−Ｕ識別子に基づいて判定するよう動作可能な判定モジュール（５４）と、
を含むＭＭＥ（２２）。
【請求項２９】
少なくとも１つのプロセッサで実行される場合に、前記少なくとも１つのプロセッサに請求項１９乃至２６の何れか１項に係る前記方法を実行させる命令を含むコンピュータプログラム。
【請求項３０】
請求項２９の前記コンピュータプログラムを格納するキャリアであって、前記キャリアは電気信号、光信号、無線信号、またはコンピュータ可読記憶媒体の何れか１つであるキャリア。
【請求項３１】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のためのモビリティマネジメントエンティティ（ＭＭＥ）（２２）の動作方法であって、
・ＳＧＷ制御プレーンエンティティ（ＳＧＷ−Ｃ）（２４）から、新たなＳＧＷユーザプレーンエンティティ（ＳＧＷ−Ｕ）（２６）がユーザ装置機器（ＵＥ）（１８）に割当てられたことのインジケーションを受信すること（３０８）と、
・前記インジケーションを受信すると、前記ＵＥ（１８）のトラッキングエリア識別子（ＴＡＩ）リストをクリアすること（３１０）と、を含む方法。
【請求項３２】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、前記ＭＭＥ（２２）は請求項３１の方法に従って動作するよう適合されるＭＭＥ。
【請求項３３】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、
・ＳＧＷ制御プレーンエンティティ（ＳＧＷ−Ｃ）（２４）から、新たなＳＧＷユーザプレーンエンティティ（ＳＧＷ−Ｕ）（２６）がユーザ装置機器（ＵＥ）（１８）に対して選択されたことのインジケーションを受信するよう動作可能な受信モジュール（５４）と、
・前記インジケーションを受信すると、前記ＵＥ（１８）のＴＡＩリストをクリアするよう動作可能なトラッキングエリア識別子（ＴＡＩ）リストクリアモジュール（５４）と、
をさらに含むＭＭＥ（２２）。
【請求項３４】
少なくとも１つのプロセッサで実行される場合に、前記少なくとも１つのプロセッサに請求項３１の何れか１項に係る前記方法を実行させる命令を含むコンピュータプログラム。
【請求項３５】
請求項２９の前記コンピュータプログラムを格納するキャリアであって、前記キャリアは電気信号、光信号、無線信号、またはコンピュータ可読記憶媒体の何れか１つであるキャリア。
【請求項３６】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のためのモビリティマネジメントエンティティ（ＭＭＥ）（２２）の動作方法であって、
トラッキングエリア識別子（ＴＡＩ）を有するトラッキングエリア（３６）のユーザ装置機器（ＵＥ）（１８）からトラッキングエリア更新要求を受信すること（４００）と、
前記ＵＥ（１８）の前記ＴＡＩおよびＴＡＩリストをＳＧＷ制御プレーンエンティティ（ＳＧＷ−Ｃ）（２４）へ提供すること（４０２、４１０）と、
前記ＳＧＷ−Ｃ（２４）から、前記ＳＧＷ−Ｃ（２４）によって実行されるＳＧＷ−Ｕ再割当て手順の結果として、前記ＵＥ（１８）に割当てられた新たなＳＧＷユーザプレーンエンティティ（ＳＧＷ−Ｕ）（２６）が、前記ＵＥ（１８）の前記ＴＡＩリストの全てのトラッキングエリア（３６）にサービスを提供するかどうかのインジケーションを受信すること（４１４）と、
を含む方法。
【請求項３７】
前記ＵＥ（１８）の前記ＴＡＩリストの全てのトラッキングエリア（３６）が前記ＵＥ（１８）に割当てられた前記新たなＳＧＷ−Ｕ（２６）によってサービスを提供されない場合、前記ＵＥ（１８）の前記ＴＡＩリストをクリアすること（４１６）をさらに含む請求項３６に記載の方法。
【請求項３８】
前記ＵＥ（１８）の前記ＴＡＩリストの全てのトラッキングエリア（３６）が前記ＵＥ（１８）に割当てられた前記新たなＳＧＷ−Ｕ（２６）によってサービスを提供される場合、前記ＵＥ（１８）の前記ＴＡＩリストを維持すること（４１６）をさらに含む請求項３６または３７に記載の方法。
【請求項３９】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、前記ＭＭＥ（２２）は請求項３６乃至３８の何れか１項の方法に従って動作するよう適合されるＭＭＥ（２２）。
【請求項４０】
サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、前記ＭＭＥ（２２）は、
トラッキングエリア識別子（ＴＡＩ）を有するトラッキングエリア（３６）のユーザ装置機器（ＵＥ）（１８）からトラッキングエリア更新要求を受信するよう動作可能な第一の受信モジュール（４００）と、
前記ＵＥ（１８）の前記ＴＡＩおよびＴＡＩリストをＳＧＷ制御プレーンエンティティ（ＳＧＷ−Ｃ）（２４）へ提供するよう動作可能な提供モジュール（５４）と、
前記ＳＧＷ−Ｃ（２４）によって実行されるＳＧＷ−Ｕ再割当て手順の結果として前記ＵＥ（１８）に割当てられた新たなＳＧＷユーザプレーンエンティティ（ＳＧＷ−Ｕ）（２６）が、前記ＵＥ（１８）の前記ＴＡＩリストの全てのトラッキングエリア（３６）にサービスを提供するかどうかのインジケーションを、前記ＳＧＷ−Ｃ（２４）から受信するよう動作可能な第二の受信モジュール（５４）と、
を含むＭＭＥ（２２）。
【請求項４１】
少なくとも１つのプロセッサで実行される場合に、前記少なくとも１つのプロセッサに請求項３６乃至３８の何れか１項に係る前記方法を実行させる命令を含むコンピュータプログラム。
【請求項４２】
請求項４１の前記コンピュータプログラムを格納するキャリアであって、前記キャリアは電気信号、光信号、無線信号、またはコンピュータ可読記憶媒体の何れか１つであるキャリア。
【請求項４３】
サービングゲートウェイ（ＳＧＷ）ユーザプレーン機能がＳＧＷ制御プレーン機能から分離されているアーキテクチャを有する前記セルラ通信システム（１０）におけるＳＧＷ制御プレーンエンティティ（ＳＧＷ−Ｃ）（２４）の動作方法であって、
モビリティマネジメントエンティティ（ＭＭＥ）（２２）から、ユーザ装置機器（ＵＥ）（１８）の現在のトラッキングエリア識別子（ＴＡＩ）および現在のＴＡＩリストを受信すること（４０２、４１０）と、
前記ＵＥ（１８）の前記現在のＴＡＩに基づいて前記ＵＥ（１８）のための新たなＳＧＷユーザエンティティ（ＳＧＷ−Ｕ）（２６）を選択すること（４０６）と、
前記ＵＥ（１８）の前記新たなＳＧＷ−Ｕ（２６）が、前記ＵＥ（１８）の前記現在のＴＡＩリストの全てのトラッキングエリア（３６）をサポートするかどうかを判定すること（４１２）と、
前記ＵＥ（１８）の前記新たなＳＧＷ−Ｕ（２６）が、前記ＵＥ（１８）の前記現在のＴＡＩリストの全てのトラッキングエリア（３６）をサポートするかどうかのインジケーションを前記ＭＭＥ（２２）に提供すること（４１４）と、
を含む方法。
【請求項４４】
前記ＵＥ（１８）のための前記新たなＳＧＷ−Ｕ（２６）を選択すること（４０６）は、前記新たなＳＧＷ−Ｕ（２６）が前記ＵＥ（１８）の前記現在のＴＡＩリストの全てのトラッキングエリア（３６）をサポートするように、可能であれば、前記新たなＳＧＷ−Ｕ（２６）を選択すること（４０６）を含む請求項４３に記載の方法。
【請求項４５】
セルラ通信システム（１０）であって、ＳＧＷユーザプレーン機能がＳＧＷ制御プレーン機能から分離されているアーキテクチャを有する前記セルラ通信システム（１０）のサービングゲートウェイ制御プレーンエンティティ（ＳＧＷ−Ｃ）（２４）であって、前記ＳＧＷ−Ｃ（２４）は請求項４３に記載の方法に従って動作するよう適合されるＳＧＷ−Ｃ（２４）。
【請求項４６】
セルラ通信システム（１０）のためのサービングゲートウェイ制御プレーンエンティティ（ＳＧＷ−Ｃ）（２４）であって、前記セルラ通信システム（１０）は、ＳＧＷユーザプレーン機能がＳＧＷ制御プレーン機能から分離されているアーキテクチャを有し、前記ＳＧＷ−Ｃ（２４）は、
モビリティマネジメントエンティティ（ＭＭＥ）（２２）から、ユーザ装置機器（ＵＥ）（１８）の現在のトラッキングエリア識別子（ＴＡＩ）および現在のトラッキングエリア識別子（ＴＡＩ）リストを受信するよう動作可能な受信モジュール（５４）と、
前記ＵＥ（１８）の前記現在のＴＡＩに基づいて前記ＵＥ（１８）のための新たなＳＧＷユーザエンティティ（ＳＧＷ−Ｕ）（２６）を選択するよう動作可能な選択モジュール（５４）と、
前記ＵＥ（２２）の前記新たなＳＧＷ−Ｕ（２６）が、前記ＵＥ（１８）の前記現在のＴＡＩリストの全てのトラッキングエリア（３６）をサポートするかどうかを判定するよう動作可能な判定モジュール（５４）と、
前記ＵＥ（１８）の前記新たなＳＧＷ−Ｕ（２６）が、前記ＵＥ（１８）の前記現在のＴＡＩリストの全てのトラッキングエリア（３６）をサポートするかどうかのインジケーションを前記ＭＭＥ（２２）に提供するよう動作可能な提供モジュール（５４）と、
を有するＳＧＷ−Ｃ（２４）。
【請求項４７】
少なくとも１つのプロセッサで実行される場合に、前記少なくとも１つのプロセッサに請求項３１の何れか１項に係る前記方法を実行させる命令を含むコンピュータプログラム。
【請求項４８】
請求項４１の前記コンピュータプログラムを格納するキャリアであって、前記キャリアは電気信号、光信号、無線信号、またはコンピュータ可読記憶媒体の何れか１つであるキャリア。
【請求項４９】
セルラ通信システム（１０）であって、サービングゲートウェイ（ＳＧＷ）ユーザプレーン機能がＳＧＷ制御プレーン機能から分離されているアーキテクチャを有する、前記セルラ通信システム（１０）は、
サービングゲートウェイ制御プレーンエンティティ（ＳＧＷ−Ｃ）（２４）と、
複数のＳＧＷユーザプレーン（ＳＧＷ−ＵＰ）プール（２８）であって、各々が１つまたは複数のＳＧＷユーザエンティティ（ＳＧＷ−Ｕ）（２６）を有し、各ＳＧＷ−ＵＰプール（２８）が個別のＳＧＷ−ＵＰサービスエリア（３０）を有する、前記複数のＳＧＷ−ＵＰプール（２８）と、
それぞれが１つまたは複数のモビリティマネジメントエンティティ（ＭＭＥ）（２２）を含む複数のＭＭＥプール（３２）と、を含み、
ユーザ装置（ＵＥ）（１８）がＩＤＬＥモードで動作する場合に、前記ＵＥ（１８）が位置する現在のトラッキングエリア（３６）と、前記ＵＥに割当てられたＳＧＷ−Ｕ（２６）との間の接続性が保証されるように、トラッキングエリア（３６）ハンドリングとＳＧＷ−Ｕ（２６）選択とが切り離される、
セルラ通信システム（１０）。
【請求項５０】
前記ＵＥ（１８）からのサービス要求に応じて実行されるサービス要求手順の間、前記現在のトラッキングエリア（３６）と前記ＵＥ（１８）に割当てられた前記ＳＧＷ−Ｕ（２６）との間の接続性が提供されるように、前記ＵＥ（１８）のためにＳＧＷ−Ｕ再割当て手順が実行される請求項４９に記載のセルラ通信システム（１０）。
【発明の詳細な説明】
【技術分野】
【０００１】
本開示はセルラ通信システムに関連し、具体的には、サービングゲートウェイ（ＳＧＷ）／パケットデータネットワーク（ＰＤＮ）ゲートウェイ（ＰＧＷ）においてユーザプレーン機能が制御プレーン機能から分離されるセルラ通信システムに関する。
【０００２】
［関連ケースの相互参照］
本出願は、２０１６年１月１８日に出願された米国仮特許出願第６２／２７９９３９号の利益を主張するものであり、その開示内容全体が参照により本明細書に組み込まれる。
【背景技術】
【０００３】
第三世代パートナーシッププロジェクト（３ＧＰＰ）システムアーキテクチャ（ＳＡ）ワーキンググループのステージ２ミーティング＃１１２（ＳＡ２＃１１２）では、トラッキングエリア識別子（ＴＡＩ）−モビリティマネジメントエンティティ（ＭＭＥ）におけるリストの処理に関する問題がありうることが指摘された（３ＧＰＰテクニカルレポート（ＴＲ）２３．７１４の６．１．１．７節を参照）。発展型パケットコア（ＥＰＣ）サービングゲートウェイ（ＳＧＷ）／パケットデータネットワーク（ＰＤＮ）ゲートウェイ（ＰＧＷ）における制御プレーン機能からユーザプレーン機能の分離で、複数のＥＰＣ  ＳＧＷ／ＰＧＷユーザプレーン機能エンティティ（本明細書ではＳＧＷ−Ｕと呼ぶ）は、単一のＳＧＷ／ＰＧＷ制御プレーン機能エンティティ（本明細書ではＳＧＷ−Ｃと呼ぶ）によって制御されてもよい。したがって、ＭＭＥは、ユーザ装置機器（ＵＥ）が現在進入しているトラッキングエリア（ＴＡ）がＵＥのＴＡＩリスト（本明細書ではＴＡリストとも呼ぶ）に追加されることができるかどうかを評価することができない。
【０００４】
この課題は、実際にはＭＭＥのＴＡＩリストを処理するだけではなく、新たなＴＡへの移動において、ＳＧＷ−Ｕが再び割当てられる必要があるかどうかを評価する問題と一致する。言い換えれば、新たなＴＡが現在ＳＧＷ−Ｃによって割当てられているＳＧＷ−Ｕによってサービスを提供されているか否かが問題となる。この問題を図１に示す。ＵＥがＴＡ２からＴＡ４に移動する場合、ＭＭＥは新たなＴＡ（すなわちＴＡ４）が同一のＳＧＷ−Ｕによってサービスを提供されるか否かを知ることができない、または新たなＴＡ（すなわちＴＡ４）がＵＥのＴＡＩリストに追加されることができるかどうかを知ることができない。そのように、これらの課題に対処するシステムおよび方法が必要とされる。
【発明の概要】
【０００５】
サービングゲートウェイ（ＳＧＷ）ユーザプレーン機能がＳＧＷ制御プレーン機能から分離されているアーキテクチャを有するセルラ通信システムに関連するシステムおよび方法が開示される。いくつかの実施形態では、サービングゲートウェイ（ＳＧＷ）ユーザプレーン機能がＳＧＷ制御プレーン機能から分離されているアーキテクチャを有するセルラ通信システムは、個別の複数のＳＧＷユーザプレーン（ＳＧＷ−ＵＰ）サービスエリアに対応する複数の仮想ＳＧＷ−Ｃに分離されたＳＧＷ制御プレーンエンティティ（ＳＧＷ−Ｃ）を有する。セルラ通信システムは、複数のＳＧＷ−ＵＰプールであって、各々が１つまたは複数のＳＧＷユーザエンティティ（ＳＧＷ−Ｕ）を含み、各ＳＧＷ−ＵＰプールが複数のＳＧＷ−ＵＰサービスエリアのうちの個別の１つにサービスを提供する、複数のＳＧＷ−ＵＰプールをさらに有する。このように、トラッキングエリア（ＴＡ）とＳＧＷ−ＵＰサービスエリアとの間の協調問題が回避される。
【０００６】
いくつかの実施形態では、複数の仮想ＳＧＷ−Ｃのうちの各仮想ＳＧＷ−Ｃは、モビリティマネジメントエンティティ（ＭＭＥ）によって、レガシーＳＧＷとして扱われる。
【０００７】
いくつかの実施形態では、セルラ通信システムは、ＴＡのユーザ装置機器（ＵＥ）からのアタッチ要求またはＴＡアップデート（ＴＡＵ）要求を受信し、ＴＡにサービスを提供する複数の仮想ＳＧＷ−Ｃのうちの１つのインジケーションを取得し、ＵＥと、ＴＡにサービスを提供する複数の仮想ＳＧＷ−Ｃのうちの１つとの間のセッションを生成するようＳＧＷ−Ｃと通信するよう動作可能なＭＭＥをさらに含む。
【０００８】
いくつかの実施形態では、ＳＧＷ−ＵＰ機能がＳＧＷ−Ｃ機能から分離されるアーキテクチャを有するセルラ通信システムのＳＧＷ−Ｃは、個別の複数の仮想ＳＧＷ−Ｃを形成する複数のパーティションを有する。複数の仮想ＳＧＷ−Ｃは、個別の複数のＳＧＷ−ＵＰサービスエリアに対応する。
【０００９】
いくつかの実施形態では、複数の仮想ＳＧＷ−Ｃのうちの各仮想ＳＧＷ−Ｃは、ＭＭＥによって、レガシーＳＧＷとして扱われる。
【００１０】
いくつかの実施形態では、ＳＧＷ−ＵＰ機能がＳＧＷ−Ｃ機能から分離されるアーキテクチャを有するセルラ通信システムのためのＳＧＷ−Ｃを実施するネットワークノードは、少なくとも１つのプロセッサと、少なくとも１つのプロセッサによって実行可能な命令を含むメモリを有し、それによってネットワークノードはＳＧＷ−Ｃを複数の仮想ＳＧＷ−Ｃに分割するよう動作可能であり、複数の仮想ＳＧＷ−Ｃは個別の複数のＳＧＷ−ＵＰサービスエリアに対応する。
【００１１】
いくつかの実施形態では、複数の仮想ＳＧＷ−Ｃのうちの各仮想ＳＧＷ−Ｃは、ＭＭＥによって、レガシーＳＧＷとして扱われる。
【００１２】
いくつかの実施形態では、ＳＧＷ−ＵＰ機能がＳＧＷ−Ｃ機能から分離されるアーキテクチャを有するセルラ通信システムは、ＳＧＷ−Ｃ、それぞれが１つまたは複数のＳＧＷ−Ｕを有し、各ＳＧＷ−ＵＰプールが個別のＳＧＷ−ＵＰサービスエリアを有する複数のＳＧＷ−ＵＰプール、および、それぞれが１つまたは複数のＭＭＥを有する複数のＭＭＥプールを有する。複数のＭＭＥプールの各ＭＭＥプールは、複数のＳＧＷ−ＵＰプールのうちの１つのＳＧＷ−ＵＰサービスエリア内に完全にある個別のＭＭＥカバレッジエリアを有する。
【００１３】
いくつかの実施形態では、ＳＧＷ−ＵＰサービスエリアとＭＭＥカバレッジエリアとの間に１：１のマッピングがある。
【００１４】
いくつかの実施形態では、各ＳＧＷ−ＵＰプールに対して、ＳＧＷ−ＵＰプール内の１つまたは複数のＳＧＷ−Ｕによって提供されたＳＧＷ−Ｕリソースは、ＳＧＷ−ＵＰサービスエリア内の全てのＴＡにサービスを提供できる。
【００１５】
いくつかの実施形態では、ＳＧＷ−Ｕ割当ては最適化される。さらに、いくつかの実施形態では、ＳＧＷ−Ｕ割当ては、基地局に関する１つまたは複数のＳＧＷ−Ｕのロケーション（ｌｏｃａｔｉｏｎ）に基づいて最適化される。いくつかの実施形態では、ＵＥのためのＳＧＷ−Ｕ再割当てが有益であるとＳＧＷ−Ｃが判定すると、ＳＧＷ−ＣはＵＥに割当てられたＭＭＥへＳＧＷ−Ｕ再割当てのインジケーションを送信する。さらに、いくつかの実施形態では、ＳＧＷ−Ｃが、ベアラ変更応答メッセージにおけるサービス要求手順の間に、ＭＭＥへのＳＧＷ−Ｕ再割当てのインジケーションを送信する。いくつかの他の実施形態では、ＳＧＷ−Ｃは、アクティブフラグがセットされたＴＡＵをＭＭＥ持続時間にＳＧＷ−Ｕ再配置のインジケーションを送信する。いくつかの実施形態では、ＳＧＷ−Ｕの再割当てのインジケーションは、個別のＳＧＷ−Ｕのインターネットプロトコル（ＩＰ）アドレスおよびトンネルエンドポイント識別子（ＴＥＩＤ）を含む。
【００１６】
いくつかの実施形態では、ＳＧＷ−Ｃが、ＵＥに対するＳＧＷ−Ｕ再割当てが有益であると判定することに応じて、ＳＧＷ−ＣがＵＥに対するＳＧＷ−Ｕ再割当てを開始する。
【００１７】
いくつかの実施形態では、ＳＧＷ−Ｃが、対応するサービスエリア内のＳＧＷ−Ｕ機能を選択できるように、どのＭＭＥプールが使用されるかについてＳＧＷ−Ｃが通知される。
【００１８】
いくつかの実施形態では、ＳＧＷ−ＵＰ機能がＳＧＷ−Ｃ機能が分離されるアーキテクチャを有するセルラ通信システムのＭＭＥの動作方法は、ＳＧＷ−Ｃへ、ＵＥの現在のロケーションを送信することと、ＳＧＷ−Ｃから、ＵＥの現在のロケーションに基づいてＵＥへ割当てられたＳＧＷ−ＵのＳＧＷ−Ｕ識別子を受信することとを含む。ＭＭＥの動作方法はさらに、ＴＡＵであって、ＵＥが配置されるＵＥのＴＡを識別するＴＡＵをＵＥから受信することと、ＵＥに割当てられたＳＧＷ−ＵのＳＧＷ−Ｕ識別子に基づいて、ＴＡＵによって識別されたＴＡがＵＥに割当てられたＳＧＷ−Ｕによってサービスを提供されるかどうかを判定することと、を含む。
【００１９】
いくつかの実施形態では、ＴＡＵによって識別されたＴＡがＵＥに割当てられたＳＧＷ−Ｕによってサービスを提供されるかどうかを判定することは、ＳＧＷ−ＵのＳＧＷ−Ｕ識別子を用いてＳＧＷ−Ｕによってサービスを提供されるＴＡのリストを取得することと、ＴＡＵによって識別されたＴＡがＵＥに割当てられたＳＧＷ−ＵのＳＧＷ−Ｕ識別子を用いて取得されたＳＧＷ−Ｕによってサービスを提供されるＴＡのリスト内にあるかどうかを判定することと、を含む。いくつかの実施形態では、ＳＧＷ−ＵのＳＧＷ−Ｕ識別子は、ＳＧＷ−Ｕの完全修飾ドメイン名（ＦＱＤＮ）であり、ＳＧＷ−Ｕによってサービスを提供されるＴＡのリストを取得することは、ＳＧＷ−ＵのＦＱＤＮを用いてドメイン・ネーム・システム（ＤＮＳ）からＳＧＷ−Ｕによってサービスを提供されるＴＡのリストを検索することを含む。
【００２０】
いくつかの実施形態では、ＴＡＵによって識別されたＴＡがＵＥに割当てられたＳＧＷ−Ｕによってサービスを提供されるかどうかを判定することは、ＴＡＵで識別されるＴＡがＳＧＷ−Ｕ識別子を有するＳＧＷ−Ｕによってサービスを提供されるかどうかを尋ねる要求をサーバに送信することと、ＴＡＵで識別されるＴＡがＳＧＷ−Ｕ識別子を有するＳＧＷ−Ｕによってサービスを提供されるかどうかのインジケーションを含む応答をサーバから受信することと、を含む。さらに、いくつかの実施形態では、ＳＧＷ−ＵのＳＧＷ−Ｕ識別子はＳＧＷ−ＵのＦＱＤＮであり、要求を送信することは、ＤＮＳに要求を送信することを含み、リクエストはＳＧＷ−ＵのＦＱＤＮおよびＴＡの識別子を含む。
【００２１】
いくつかの実施形態では、方法はさらに、ＴＡがＳＧＷ−Ｕによってサービスを提供される場合、ＵＥのＴＡリストにＴＡを追加することと、ＴＡがＳＧＷ−Ｕによってサービスを提供されていない場合に、ＵＥの新たなＴＡリストがＴＡＵで識別されるＴＡのみを含むようにＵＥのＴＡリストを削除することと、を含む。
【００２２】
いくつかの実施形態では、方法はさらに、ＴＡＵによって指示されるＴＡがＵＥのために割当てられたＳＧＷ−Ｕによってサービスを提供されない場合、ＳＧＷ−Ｃを介してＵＥに対してＳＧＷ−Ｕ再割当て手順を開始することを含む。
【００２３】
いくつかの実施形態では、方法はさらに、ＴＡＵによって指示されるＴＡがＵＥに割当てられたＳＧＷ−Ｕによってサービスを提供されない場合、ＵＥのＴＡ識別子（ＴＡＩ）リストを削除し、ＵＥの新たなＴＡＩリストを開始することと、ＴＡＵによって指示されるＴＡに基づいて新たなＳＧＷ−ＵがＵＥに割当てられる必要があるインジケーションをＳＧＷ−Ｃに送信することと、を含む。
【００２４】
いくつかの実施形態では、ＭＭＥは、本明細書で開示されるＭＭＥの動作方法のいずれかの実施形態にしたがって動作するよう適合される。
【００２５】
いくつかの実施形態では、ＳＧＷ−ＵＰ機能がＳＧＷ−Ｃ機能から分離されるアーキテクチャを有するセルラ通信システムのＭＭＥは、送信モジュール、第一の受信モジュール、第二の受信モジュール、および判定モジュールを含む。送信モジュールはＳＧＷ−Ｃに、ＵＥの現在のロケーションを送信するよう動作可能である。第一の受信モジュールは、ＳＧＷ−Ｃから、ＵＥの現在のロケーションに基づいてＵＥに割当てられたＳＧＷ−ＵのＳＧＷ−Ｕ識別子を受信するよう動作可能である。第二の受信モジュールは、ＵＥからＴＡを受信するよう動作可能であり、ＴＡＵはＵＥが配置されるＴＡを識別する。判定モジュールは、ＵＥに割当てられたＳＧＷ−ＵのＳＧＷ−Ｕ識別子に基づいて、ＴＡＵによって識別されるＴＡがＵＥに割当てられたＳＧＷ−Ｕによってサービスを提供されるかどうかを判定するよう動作可能である。
【００２６】
いくつかの実施形態では、ＳＧＷ−ＵＰ機能がＳＧＷ−Ｃ機能が分離されるアーキテクチャを有するセルラ通信システムのＭＭＥの動作方法は、ＳＧＷ−Ｃから、新たなＳＧＷ−ＵがＵＥに割当てられたことのインジケーションを受信することと、インジケーションを受信すると、ＵＥのＴＡＩリストをクリアすることとを含む。
【００２７】
いくつかの実施形態では、ＳＧＷ−ＵＰ機能がＳＧＷ−Ｃ機能が分離されるアーキテクチャを有するセルラ通信システムのＭＭＥは、ＳＧＷ−Ｃから、新たなＳＧＷ−ＵがＵＥに選択されたことのインジケーションを受信するよう動作可能な受信モジュールと、インジケーションを受信すると、ＵＥのＴＡＩリストをクリアするよう動作可能なＴＡＩリストクリアモジュールとを含む。
【００２８】
いくつかの実施形態では、ＳＧＷ−ＵＰ機能がＳＧＷ−Ｃ機能が分離されるアーキテクチャを有するセルラ通信システムのＭＭＥの動作方法は、ＴＡＩを有するＴＡのＵＥからＴＡＵ要求を受信することと、ＵＥのＴＡＩおよびＴＡＩリストをＳＧＷ−Ｃに提供することと、ＳＧＷ−Ｃによって実行されるＳＧＷ−Ｕ再割当て手順の結果としてＵＥへ割当てられた新たなＳＧＷ−ＵがＵＥのＴＡＩリスト内の全てのＴＡにサービスを提供するかどうかのインジケーションをＳＧＷ−Ｃから受信することと、を含む。
【００２９】
いくつかの実施形態では、方法はさらに、ＵＥのＴＡＩリストの全てのＴＡが、ＵＥに割当てられた新たなＳＧＷ−Ｕによってサービスを提供されない場合、ＵＥのＴＡＩリストをクリアすることをさらに含む。
【００３０】
いくつかの実施形態では、方法はさらに、ＵＥのＴＡＩリストの全てのＴＡが、ＵＥに割当てられた新たなＳＧＷ−Ｕによってサービスを提供される場合、ＵＥのＴＡＩリストを維持することをさらに含む。
【００３１】
いくつかの実施形態では、ＳＧＷ−ＵＰ機能がＳＧＷ−Ｃ機能が分離されるアーキテクチャを有するセルラ通信システムのＭＭＥは、ＴＡＩを有するＴＡのＵＥからＴＡＵ要求を受信するよう動作可能な第一の受信モジュールと、ＵＥのＴＡＩおよびＴＡＩリストをＳＧＷ−Ｃに提供するよう動作可能な提供モジュールと、ＳＧＷ−Ｃによって実行されるＳＧＷ−Ｕ再割当て手順の結果としてＵＥへ割当てられた新たなＳＧＷ−ＵがＵＥのＴＡＩリスト内の全てのＴＡにサービスを提供するかどうかのインジケーションをＳＧＷ−Ｃから受信するよう動作可能な第二の受信モジュールと、を含む。
【００３２】
いくつかの実施形態では、ＳＧＷ−ＵＰ機能がＳＧＷ−Ｃ機能が分離されるアーキテクチャを有するセルラ通信システムのＳＧＷ−Ｃの動作方法は、ＭＭＥからＵＥの現在のＴＡＩおよび現在のＴＡＩリストを受信することと、ＵＥの現在のＴＡＩに基づいてＵＥのための新たなＳＧＷ−Ｕを選択することと、ＵＥの新たなＳＧＷ−ＵがＵＥの現在のＴＡＩリストの全てのＴＡをサポートするかどうかを判定することと、ＵＥの新たなＳＧＷ−ＵがＵＥの現在のＴＡＩリストのお全てのＴＡをサポートするかどうかのインジケーションをＭＭＥに提供することと、を含む。
【００３３】
いくつかの実施形態では、ＵＥのための新たなＳＧＷ−Ｕを選択することは、新たなＳＧＷ−ＵがＵＥの現在のＴＡＩリストの全てのＴＡをサポートするように、可能であれば、新たなＳＧＷ−Ｕを選択することを含む。
【００３４】
いくつかの実施形態では、ＳＧＷ−Ｃは、本明細書で開示されたＳＧＷ−Ｃの動作方法のいずれか１つの実施形態にしたがって動作するよう適合される。
【００３５】
いくつかの実施形態では、ＳＧＷ−ＵＰ機能がＳＧＷ−Ｃ機能が分離されるアーキテクチャを有するセルラ通信システムのＳＧＷ−Ｃは、ＭＭＥからＵＥの現在のＴＡＩおよび現在のＴＡＩリストを受信するよう動作可能な受信モジュールと、ＵＥの現在のＴＡＩに基づいてＵＥのための新たなＳＧＷ−Ｕを選択するよう動作可能な選択モジュールと、ＵＥの新たなＳＧＷ−ＵがＵＥの現在のＴＡＩリストの全てのＴＡをサポートするかどうかを判定するよう動作可能な判定モジュールと、ＵＥの新たなＳＧＷ−ＵがＵＥの現在のＴＡＩリストのお全てのＴＡをサポートするかどうかのインジケーションをＭＭＥに提供するよう動作可能な提供モジュールと、を含む。
【００３６】
いくつかの実施形態では、ＳＧＷ−ＵＰ機能がＳＧＷ−Ｃ機能から分離されるアーキテクチャを有するセルラ通信システムは、ＳＧＷ−Ｃ、それぞれが１つまたは複数のＳＧＷ−Ｕを有し、各ＳＧＷ−ＵＰプールが個別のＳＧＷ−ＵＰサービスエリアを有する複数のＳＧＷ−ＵＰプール、および、それぞれが１つまたは複数のＭＭＥを有する複数のＭＭＥプールを有する。ＵＥがＩＤＬＥモードで動作する際に、ＵＥが配置される現在のＴＡと、ＵＥに割当てられたＳＧＷ−Ｕとの間の接続性が保証されるように、ＴＡハンドリングとＳＧＷ−Ｕ選択とが切り離される。
【００３７】
いくつかの実施形態では、ＵＥからのサービス要求に応じて実行されるサービス要求手順の間、現在のＴＡとＵＥに割当てられたＳＧＷ−Ｕとの間の接続性が提供されるように、ＵＥのためにＳＧＷ−Ｕ再割当て手順が実行される。
【００３８】
当業者であれば、本開示の範囲を理解し、添付図面に関連付けられた以下の実施形態の詳細な説明を読んだ後、その付加的な態様を認識するであろう。
【図面の簡単な説明】
【００３９】
本明細書に組み込まれ、本明細書の一部を形成する添付の図面は、本開示のいくつかの態様を示し、説明と共に、本開示の原理を説明する役割を果たす。
【００４０】
【図１】非協調サービングゲートウェイ・ユーザプレーン（ＳＧＷ−ＵＰ）リソースを示す図。
【００４１】
【図２】本開示の実施形態が実施されうるセルラ通信ネットワークの一例を示す図。
【００４２】
【図３】本開示の一実施形態に係る、モビリティマネジメントエンティティ（ＭＭＥ）プールエリアとサービングゲートウェイ（ＳＧＷ）のサービスエリアとの間の１：１マッピングの例を示すＳＧＷ−ＵＰサービスエリアの構成を示す図。
【００４３】
【図４】本開示のいくつかの実施形態に係る、ベアラ変更応答で新たなＳＧＷユーザプレーン・エンティティ（ＳＧＷ−Ｕ）指示が示されるサービス要求手順を示す図。
【００４４】
【図５】本開示のいくつかの実施形態に係る、ＳＧＷ−Ｕ再配置のためのＳＧＷ制御プレーンエンティティ（ＳＧＷ−Ｃ）主導型の手順を示す図。
【００４５】
【図６】本開示の一実施形態に係る、ＭＭＥがユーザ装置デバイス（ＵＥ）のために選択されるＳＧＷ−Ｕを学習する手順を示す図。
【００４６】
【図７Ａ】本開示のいくつかの実施形態に係る、ＳＧＷ−Ｕ再配置の際に、ＵＥのトラッキングエリア（ＴＡ）リストを維持するための手順の２つの例示的な実施形態を示す図。
【図７Ｂ】本開示のいくつかの実施形態に係る、ＳＧＷ−Ｕ再配置の際に、ＵＥのトラッキングエリア（ＴＡ）リストを維持するための手順の２つの例示的な実施形態を示す図。
【００４７】
【図８】本開示の一実施形態に係る、ＭＭＥへの影響なしに分離されたＳＧＷ−Ｃを示す図。
【００４８】
【図９】本開示のいくつかの実施形態に係る、さらに別の解決策を示す図。
【００４９】
【図１０】本開示のいくつかの実施形態に係る、ネットワークノードの実施形態を示す図。
【図１１】本開示のいくつかの実施形態に係る、ネットワークノードの実施形態を示す図。
【００５０】
【図１２】本開示のいくつかの実施形態に係る、ＵＥの実施形態を示す図。
【図１３】本開示のいくつかの実施形態に係る、ＵＥの実施形態を示す図。
【発明を実施するための形態】
【００５１】
以下に示す実施形態は、当業者が実施形態を実施し、実施形態を実施する最良の形態を示すことを可能にする情報を表す。添付図面に照らして以下の説明を読むと、当業者は本開示の概念を理解し、本明細書で特に言及しないこれらの概念の適用性を認識するであろう。これらの概念および適用性は、開示および添付する請求の範囲に含まれることが理解されるべきである。
【００５２】
本明細書で説明される実施形態は第三世代パートナーシッププロジェクト（３ＧＰＰ）Ｌｏｎｇ  Ｔｅｒｍ  Ｅｖｏｌｕｔｉｏｎ（ＬＴＥ）に焦点を当てているが、本明細書で説明される実施形態は制御プレーンとユーザプレーンとの機能を個別に有する他のタイプのセルラ通信ネットワークに適用可能であってもよい。
【００５３】
上述した問題に対処するためのシステムおよび方法が開示される。いくつかの実施形態において、セルラ通信システムは、サービングゲートウェイ制御プレーンエンティティ（ＳＧＷ−Ｃ）と、それぞれが１つまたは複数のサービングゲートウェイ・ユーザエンティティ（ＳＧＷ−Ｕ）を有する複数のサービングゲートウェイ・ユーザプレーン（ＳＧＷ−ＵＰ）プールであって、各ＳＧＷ−ＵＰプールがそれぞれのＳＧＷ−ＵＰサービスエリアを有するＳＧＷ−ＵＰプールとを有する。セルラ通信システムはさらに、それぞれが１つまたは複数のモビリティマネジメントエンティティ（ＭＭＥ）エンティティを有する複数のＭＭＥプールであって、各ＭＭＥプールが複数のＳＧＷ−ＵＰプールのうちの１つのＳＧＷ−ＵＰサービスエリア内に完全にある個別のＭＭＥカバレッジエリアを有する、複数のＭＭＥプールを有する。
【００５４】
いくつかの実施形態において、ＳＧＷサービスエリアとＭＭＥカバレッジエリアとの間に１：１のマッピングがある。
【００５５】
いくつかの実施形態において、ＳＧＷ−ＵＰプール内の１つまたは複数のＳＧＷ−Ｕによってサービスを提供されるＳＧＷ−Ｕリソースは、各ＳＧＷ−ＵＰプールに対して、ＳＧＷ−ＵＰサービスエリア内の全てのトラッキングエリア（ＴＡ）を提供することができる。
【００５６】
いくつかの実施形態において、ＳＧＷ−Ｕ割り当ては最適化される。
【００５７】
他の実施形態において、ＳＧＷ−ＵＰ機能がＳＧＷ−Ｃ機能と分離されるアーキテクチャを有するセルラ通信システムにおけるＭＭＥの動作方法は、ＳＧＷ−ＣからＳＧＷ−ＵのＳＧＷ−Ｕ識別子を受信することと、ＳＧＷ−ＵのＳＧＷ−Ｕ識別子を用いてＳＧＷ−Ｕによってサービスを提供されるＴＡのリストを取得することと、を含む。
【００５８】
いくつかの実施形態において、ＳＧＷ−Ｕは、ユーザ装置機器（ＵＥ）のために選択されるＳＧＷ−Ｕであり、方法はさらに、ＵＥに対するＴＡアップデート（ＴＡＵ）要求を受信することと、ＴＡＵ要求によって指示されるＴＡがＵＥのために選択されたＳＧＷ−Ｕによってサービスを提供されるか否かを判定することと、ＴＡＵ要求で指示されるＴＡがＵＥのために選択されるＳＧＷ−Ｕによってサービスを提供されない場合、ＵＥのためのＳＧＷ−Ｕ再配置手順を実行することと、をさらに含む。いくつかの実施形態において、ＵＥのためのＳＧＷ−Ｕ再配置手順を実行することは、ＵＥのＴＡ識別子（ＴＡＩ）リストを削除することと、ＵＥのための新たなＴＡＩリストを開始することと、新たなＳＧＷ−ＵがＴＡＵ要求によって指示されるＴＡに基づいてＵＥのために選択される必要があることをＳＧＷ−Ｃに示すことを送信することと、を含む。
【００５９】
他の実施形態では、ＳＧＷ−ＵＰ機能がＳＧＷ−Ｃ機能と分離されるアーキテクチャを有するセルラ通信システムにおけるＭＭＥの動作方法は、ＳＧＷ−Ｃから新たなＳＧＷ−ＵがＵＥのために選択されたことの指示を受信することと、指示を受信するとＵＥのＴＡＩリストをクリアすることと、を含む。
【００６０】
他の実施形態では、ＳＧＷ−ＵＰ機能がＳＧＷ−Ｃ機能と分離されるアーキテクチャを有するセルラ通信システムにおけるＭＭＥの動作方法は、ＳＧＷ−ＣへＵＥの現在のＴＡＩリストを提供することと、ＵＥに対して結果のＴＡＩリストの指示を受信することとを含み、得られたＴＡＩリストはＵＥのＳＧＷ−Ｃによって実行されるＳＧＷ−Ｕ再配置手順から生じる。
【００６１】
他の実施形態では、ＳＧＷ−ＵＰ機能がＳＧＷ−Ｃ機能と分離されるアーキテクチャを有するセルラ通信システムにおけるＭＭＥの動作方法は、ＭＭＥからＵＥの現在のＴＡＩリストを受信することと、ＵＥの新たなＳＧＷ−Ｕを選択することと、新たなＳＧＷ−ＵのＵＥがＵＥの現在のＴＡＩリストの全てのＴＡをサポートするかを判定することと、判定に基づいて、ＭＭＥへＵＥの結果のＴＡＩリストを提供することと、を含む。
【００６２】
他の実施形態では、セルラ通信システムは、それぞれが１つまたは複数のＳＧＷ−Ｕを含む、それぞれ複数のＳＧＷ−ＵＰサービスエリアと複数のＳＧＷ−ＵＰプールとに対応する複数の仮想ＳＧＷ−ＣｓにＳＧＷ−Ｃを分割し、ここで各ＳＧＷ−ＵＰプールは複数のＳＧＷ−ＵＰサービスエリアのうちのそれぞれ１つにサービスを提供する。
【００６３】
図２は本開示の実施形態が実施されうるセルラ通信システム１０の一例を示す。図示するように、セルラ通信システム１０は、対応するセル１６を有する複数の無線アクセスノード１４（例えば拡張型または発展型Ｎｏｄｅ  Ｂ（ｅＮＢ））を含む無線アクセスネットワーク（ＲＡＮ）１２を含む。無線アクセスノード１４は、セル１６内に配置されるＵＥ１８へのワイヤレスまたは無線アクセスを提供する。
【００６４】
無線アクセスノード１４はコアネットワーク２０に接続される。コアネットワーク２０は、それぞれがネットワークノードとして、またはネットワークノード上に（すなわち、ネットワークノードを形成するハードウェアおよび／またはソフトウェアの組み合わせとして、またはネットワークノードによって実行されるソフトウェアとして）実施されうる、１つまたは複数のＭＭＥ２２、１つまたは複数のＳＧＷ−Ｃ２４、および１つまたは複数のＳＧＷ−Ｕ２６、を含む。なお、本明細書で説明するように、ＳＧＷ−ＵＰ機能はＳＧＷ−Ｃ機能から分離されている。ＳＧＷ−ＵＰ機能はＳＧＷ−Ｕ２６によって提供され、ＳＧＷ−Ｃ機能はＳＧＷ−Ｃ２４によって提供される。上述したように、ＳＧＷ−Ｃ機能からのＳＧＷ−ＵＰ機能の分離は、多くの利点を提供しながら、ＴＡおよびＳＧＷ−ＵＰサービスエリアの間の協調性の問題を引き起こす。
【００６５】
ＴＡとＳＧＷ−ＵＰサービスエリアとの間の協調性の問題に対する多くの解決策がありうる。これらの多くの解決策を以下に説明する。
【００６６】
＜解決策１＞
解決策１として本明細書で言及される第１の解決策は、サービスエリアの構成に基づく。解決策１は以下のように説明されうる。
・条件１
１つまたは複数の完全なＭＭＥプールエリア（本明細書でＭＭＥカバレッジエリアまたはＭＭＥプールカバレッジエリアとしても呼ばれる）は、ＳＧＷ−Ｕサービングエリア（本明細書でＳＧＷ−ＵＰサービングエリアとしても呼ばれる）内に完全にあるべきである。例えば、ＭＭＥプールエリアおよびＳＧＷ−Ｕサービングエリアは１：１でマッピングされてもよい。
・条件２
ＳＧＷ−Ｕリソースは、全てのユーザプレーン（ＵＰ）リソース（すなわち、全てのＳＧＷ−ＵＰプール内のＳＧＷ−Ｕリソース）がＳＧＷ−Ｕサービングエリア内の（およびＭＭＥプールエリア内の）全てのＴＡにサービスを提供できる、ＳＧＷ−Ｕサービングエリア内のプールにあるべきである。
・仮定３（随意）
いくつかのＳＧＷ−Ｕリソースは、他のものより、よりよく所定のＴＡにサービスを提供することができ、したがってＳＧＷ−Ｕ選択を最適化することができるべきである。
【００６７】
条件１および２に基づき、ＴＡＩリスト問題は解決する。ＭＭＥプールエリア内の全てのＴＡは現在のＳＧＷ−Ｕによってサービスされることができるため、ＴＡはＴＡＩリストに追加されることができ、ＳＧＷ−Ｕ再配置は不要である。対応するサービスエリア内のＳＧＷ−Ｕ機能をＳＧＷ−Ｃが選択できるように、どのＭＭＥプールが使用されるかをＳＧＷ−Ｃに通知する必要があってもよい。言い換えれば、同一のＳＧＷ−Ｃに接続される複数のＭＭＥプールがある場合、ＭＭＥプールは個別のＳＧＷ−ＵＰサービスエリアによってサービスを提供されてもよい。例えば、詳細を後述して説明する図３の例において、ＳＧＷ−ＵＰサービスエリア３０−１またはＳＧＷ−ＵＰサービスエリア３０−２からＳＧＷ−Ｕを選択するために、ＳＧＷ−Ｃ２４は、それが左または右のＭＭＥプールに接続されているかどうかを知る必要がある。
【００６８】
仮定３に基づいて、ＳＧＷ−Ｕ割り当てにおいてなされる最適化があってもよい。解決策１は仮定３なしに動作する。しかしながら、仮定３は、例えばいくつかのｅＮＢに近いＳＧＷ−Ｕを選択する可能性をもたらすことによって、条件１および条件２を「緩和」する方法である。同時に、「フルメッシュ」がサポートされるため、ＳＧＷ−Ｕの即座の変更は要求されない。本明細書で用いられるように、「フルメッシュ」は、サービスエリアをサポートする全てのＳＧＷ−ＵとＴＡをサポートするｅＮＢとの間でＭＭＥプール・サービスエリアの全てのＴＡからの接続性があることを意味する。言い換えれば、「フルメッシュ」は、全体的な接続性があること、すなわち、ＭＭＥカバレッジエリア内の任意のＴＡ内の任意のｅＮＢはＳＧＷ−ＵＰプールの任意のＳＧＷに接続されている、または接続されうることを意味する。異なる解決策は、最適化を達成することができる：
・代替案Ａ：  ＳＧＷ−Ｕ再割当てが有益であるとＳＧＷ−Ｃが判定する場合、ＵＥがアイドル状態（ＩＤＬＥ）から接続状態（ＣＯＮＮＥＣＴＥＤ）へ移行する際に、新たなＳＧＷ−Ｕインターネットプロトコル（ＩＰ）アドレスおよびトンネルエンドポイント識別子（ＴＥＩＤ）がｅＮＢへ送信されうるように、サービス要求手順が変更されてもよい。ＳＧＷ−Ｃがベアラ変更応答メッセージへのインジケーション（またはＳＧＷ−Ｕ  ＩＰアドレスおよびＴＥＩＤ）をＭＭＥへ送信し、ＭＭＥはｅＮＢを即座に更新、またはＵＥが次回サービス要求を行う場合に新たなパラメータを使用することができる。代替案Ａの一例は、図４を参照して後述される；または
・代替案Ｂ：  代替案Ｂは、３ＧＰＰテクニカルレポート（ＴＲ）２３．７１４、６．３．１節に記載された、ＳＧＷ−Ｃがいかなる時でもＳＧＷ−Ｕ再配置を開始できる新たなＳＧＷ−Ｃ主導型の手順に基づく解決策である。代替案Ｂの一例は、図５を参照して後述する。
【００６９】
図３は解決策１の一例を示す。図示するように、セルラ通信システム１０および具体的にはコアネットワーク２０は、それぞれが複数のＳＧＷ−Ｕ２６を含む、複数のＳＧＷ−ＵＰプール２８−１および２８−２（本明細書では総称してＳＧＷ−ＵＰプール２８、そして個別にはＳＧＷ−ＵＰプール２８と呼ぶ）を含む。ＳＧＷ−ＵＰプール２８−１のＳＧＷ−Ｕ  ２６は、例えば本明細書ではそれぞれがＳＧＷ−Ｕ１およびＳＧＷ−Ｕ２とも呼ばれるＳＧＷ−Ｕ２６−１およびＳＧＷ−Ｕ２６−２である。ＳＧＷ−ＵＰプール２８−２のＳＧＷ−Ｕ  ２６は、例えば本明細書ではそれぞれがＳＧＷ−Ｕ３、ＳＧＷ−Ｕ４、およびＳＧＷ−Ｕ５とも呼ばれるＳＧＷ−Ｕ  ２６−３、２６−４、および２６−５である。ＳＧＷ−ＵＰプール２８−１は、複数のＴＡ  ３６−１から３６−４（本明細書ではＴＡ１からＴＡ４とも呼ばれる）を含むＳＧＷ−ＵＰサービスエリア３０−１を有し、ＳＧＷ−ＵＰプール２８−２は、複数のＴＡ３６−５から３６−９を含むＳＧＷ−ＵＰサービスエリア３０−２を有する。ＳＧＷ−ＵＰサービスエリア３０−１および３０−２は、一般に、本明細書ではまとめてＳＧＷ−ＵＰサービスエリア３０、そして個別にはＳＧＷ−ＵＰサービスエリア３０として呼ばれる。ＴＡ３６−１から３６−９は、一般に、本明細書ではまとめてＴＡ３６と、そして個別にはＴＡ３６として呼ばれる。
【００７０】
セルラ通信システム１０および具体的にはコアネットワーク２０は、ＳＧＷ−ＵＰプール２８のためのＳＧＷ制御プレーン機能を提供するＳＧＷ−Ｃ２４も含む。セルラ通信システム１０および具体的にはコアネットワーク２０は、一般に、本明細書ではまとめてＭＭＥプール３２、そして個別にもＭＭＥプール３２として呼ばれるＭＭＥプール３２−１および３２−２も含む。各ＭＭＥプール３２は複数のＭＭＥ２２（不図示）を含む。ＭＭＥプール３２−１は、ＴＡ３６−１から３６−４を含むＭＭＥカバレッジエリア３４−１を有し、ＭＭＥプール３２−２は、ＴＡ３６−５から３６−９を含むＭＭＥカバレッジエリア３４−２を有する。ＭＭＥカバレッジエリア３４−１および３４−２は、一般に、本明細書ではまとめてＭＭＥカバレッジエリア３４と、そして個別にもＭＭＥカバレッジエリア３４として呼ばれる。
【００７１】
解決策１の本例において、ＳＧＷ−ＵＰサービスエリア３０とＭＭＥカバレッジエリア３４との間に１：１のマッピングがある。言い換えれば、ＳＧＷ−ＵＰサービスエリア３０−１はＭＭＥカバレッジエリア３４−１と同一のＴＡ３６を含み、ＳＧＷ−ＵＰサービスエリア３０−２はＭＭＥカバレッジエリア３４−２と同一のＴＡ３６を含む。これは上述した条件１を満たす。また、同一のＳＧＷ−ＵＰプール２８内の全てのＳＧＷ−Ｕリソースは、ＳＧＷ−ＵＰサービスエリア３０、およびしたがって個別のＭＭＥカバレッジエリア３４内の全てのＴＡ３６にサービスを提供することができる。これは上述した条件２を満たす。
【００７２】
加えて、随意に、図３のセルラ通信システム１０は、上述した仮定３に基づいたＳＧＷ−Ｕ割当てを最適化してもよい。例えば、ＵＥ１８の現在のＴＡまたは現在のＴＡＩに基づいてＳＧＷ−Ｕ２６をＵＥ１８へ割当てる場合、ＵＥ１８に割当てられたＳＧＷ−Ｕ２６は、例えば特定の無線アクセスノード１４からの距離に基づいて最適化されてもよい。
【００７３】
図４は上述の代替案Ａに係るＳＧＷ−Ｕ割当ての最適化を達成するためのプロセスの一例を示す。具体的に、図４は、ＳＧＷ−Ｃ２４がＳＧＷ−Ｕの再割当てが有益であると判定した場合、ＵＥ１８に割当てられた新たなＳＧＷ−Ｕ２４のインジケーション（例えば新たなＳＧＷ−ＵのＩＰアドレスおよびＴＥＩＤ）がベアラ変更応答メッセージでＭＭＥ２２に提供される、サービス要求手順の一例を示す。上述したように、ＭＭＥ２２は、即座に無線アクセスノード１４（例えばｅＮＢ）を更新する、またはＵＥ１８が次回サービス要求を行う新たなパラメータを用いることができる。
【００７４】
より具体的には、図示するように、ＵＥ１８は無線アクセスノード１４を介してＭＭＥ２２へサービス要求を送信する（ステップ１００および１０２）。いくつかの実施形態では、サービス要求は、無線アクセスノード１４への無線リソース制御（ＲＲＣ）メッセージにカプセル化される。随意に、ＭＭＥ２２は認証およびセキュリティ手順をトリガしてもよい（ステップ１０４）。ＭＭＥ２２は初期コンテキストセットアップ要求を無線アクセスノード１４に送信し（ステップ１０６）、無線アクセスノード１５およびＵＥ１８は無線ベアラ確立を行う（ステップ１０８）。ＵＥ１８は続いて無線アクセスノード１４にアップリンクデータを送信してもよく、ここで、無線アクセスノード１４は、アップリンクデータをＵＥ１８が割当てられるＳＧＷ−Ｕ２６へと転送し、ＳＧＷ−Ｕ２６はアップリンクデータをパケットデータネットワーク（ＰＤＮ）ゲートウェイ（ＰＧＷ）３８に転送する（ステップ１１０から１１４）。
【００７５】
加えて、無線アクセスノード１４は初期コンテキストセットアップ完了メッセージをＭＭＥ２２に送信する（ステップ１１６）。ＭＭＥ２２は、続いてベアラ変更要求をＳＧＷ−Ｃ２４に送信する（ステップ１１８）。ＳＧＷ−Ｕ再割当てが必要または望ましい場合、ＳＧＷ−Ｃ２４はＵＥ１８のための新たなＳＧＷ−Ｕ２６を判定し（ステップ１２０）、ベアラ変更応答でＭＭＥ２２へ新たなＳＧＷ−Ｕ２６のインジケーションを送信する（ステップ１２２）。サービス要求手順は、随意に、例えばベアラ変更要求をＳＧＷ−Ｃ２４からＰＧＷ３８に送信し（ステップ１２４）、ネットワークポリシーおよび課金ルール機能（ＰＣＲＦ）とポリシー制御施行機能（ＰＣＥＦ）主導型ＩＰ接続アクセスネットワーク（ＩＰ−ＣＡＮ）セッション変更を実行し（ステップ１２６）、ＳＧＷ３８からＳＧＷ−Ｃ２４へベアラ変更応答を送信する（ステップ１２８）。なお、ステップ１２０と、ステップ１２２のベアラ変更応答の新たなＳＧＷ−Ｕのインジケーションを含めることと以外の図４のサービス要求手順の詳細は当業者には既知であり、本明細書では繰り返し説明しない。
【００７６】
図５は上述の代替案Ｂに係るＳＧＷ−Ｕ割当ての最適化を達成するためのプロセスの一例を示す。なお、図５は、３ＧＰＰ  ＴＲ２３．７１４のバージョン０．２．０の６．３．１項から再現されている。このように、本プロセスの詳細は当業者にとって既知であるため、本明細書では繰り返し説明しない。しかしながら、注意すべき重要な点は、本プロセスは、上述した仮定３にしたがい、ＳＧＷ−Ｕの最適化のためのＳＧＷ−Ｕの再割当てを可能にするために利用されてもよいということである。
【００７７】
＜解決策２＞
本明細書で解決策２と呼ばれる第２の解決策は、ＭＭＥ２２とＳＧＷ−Ｃ２４との間のシグナリングに基づく。解決策２の仮定は以下の通りである。ＩＤＬＥからＡＣＴＩＶＥに移る場合、既存のＳＧＷ  ＴＥＩＤを用いることができると仮定する。すなわち、ＳＧＷ−Ｕの再割当てを許可するサービス要求手順を変更（すなわち、ＳＧＷ  ＴＥＩＤの変更）する必要はない。
【００７８】
本明細書では解決策２Ａと呼ばれる解決策２の第一の実施形態は、どのＳＧＷ−Ｕ２６が選択されたかを学習するＭＭＥ２２である。図６は解決策２Ａの一例を示す。一般的に、解決策２Ａは以下を含む。
・ＳＧＷ−Ｃ２４はＳＧＷ−Ｕ識別子（例えば完全修飾ドメインネーム（ＦＱＤＮ）をＭＭＥ２２２へ送信する。ＭＭＥ２２は、ＳＧＷ−Ｕ機能によってサービスを提供されるＴＡのリストを（例えばドメイン・ネーム・システム（ＤＮＳ）を介して検索できる（ステップ２１０および２１２）。このように、ＭＭＥ２２はＳＧＷ−Ｕサービスエリアを知るようになり、今日のようにＴＡＩリストを入力できる。
・ＭＭＥ２２も、必要であれば、ＳＧＷ−Ｃ２４を介してＳＧＷ−Ｕ再割当てを開始できる。例えば、図６に示すように、本例ではＴＡ２に対するＵＥ１８のためのＴＡＵリクエストを受信すると、ＭＭＥ２２は、ＴＡ２がＵＥ１８のための現在選択されているＳＧＷ−Ｕ２６（ＳＧＷ−Ｕ１である）によってサービスを提供されるか否かを判定する（ステップ２１４）。その場合、ＴＡ２はＵＥ１８のＴＡＩリストへ追加される。そうでない場合、ＭＭＥ２２はＵＥ１８のＴＡＩリストを削除またはクリアし、ＵＥ１８のための新たなＴＡＩリストを開始し、ＳＧＷ−Ｃ２４へ、新たなＳＧＷ−Ｕ２６がＴＡ２に基づいてＵＥ１８に割当てられるまたは選択される必要があることのインジケーションを送信する（ステップ２１６）。このインジケーションは、例えばセッション変更メッセージで提供されてもよい。インジケーションを受信すると、ＳＧＷ−Ｃ２４はＵＥ１８に対して新たなＳＧＷ−Ｕ２６を選択し、手順は、ＳＧＷ−Ｃ２４がＵＥ１８に対して新たに選択されたＳＧＷ−Ｕ２６のＳＧＷ−Ｕ識別子をＭＭＥ２２に送信する、ステップ２０６へ戻る。
【００７９】
より具体的には、図６に示すように、本例では、ＴＡ１のＵＥ１８（不図示）はＴＡ１のＴＡＩを含むアタッチ要求をＭＭＥ２２に送信する（ステップ２００）。ＭＭＥ２２はセッション生成要求であって、ＴＡ１のＴＡＩを含むセッション生成要求をＳＧＷ−Ｃ２４に送信する（ステップ２０２）。ＳＧＷ−Ｃ２４は、セッション生成メッセージにおいて、ＭＭＥ２２から受信したＴＡＩに基づいてＵＥ１８のためのＳＧＷ−Ｕ２６を選択する。この選択は例えばＤＮＳを用いて行われてもよい。例えば、現在、３ＧＰＰ規格には、ＴＡＩに基づいてＳＧＷの選択を行うＭＭＥ２２からのＤＮＳクエリがある。同様のＤＮＳクエリはＳＧＷ−Ｕ２６を選択するためにＳＧＷ−Ｃ２４によって用いられうる。別の例として、いくつかの実施形態では、場合によっては付加情報を持つ、異なるＴＡにサービスを提供するＳＧＷ−Ｕ２６のＳＧＷ−Ｃ２４にテーブルが存在する。このテーブルは代替的にはＤＮＳに含まれてもよい。次に、ＳＧＷ−Ｃ２４は選択されたＳＧＷ−Ｕ２６、本例ではＳＧＷ−Ｕ１と通信し、ＵＥ１８に対してセッションを生成する（ステップ２０４）。
【００８０】
ＳＧＷ−Ｃ２４は、セッション生成応答で、選択されたＳＧＷ−Ｕ２６のＳＧＷ−Ｕ識別子（例えばＦＱＤＮ）をＭＭＥ２２に送信する（ステップ２０６）。ＭＭＥ２２は必要であれば、ＳＧＷ−Ｃ２４を介してＳＧＷ−Ｕ再割当てを開始することができる。例えば、図６に示すように、ＵＥ１８、本例ではＴＡ２のためのＴＡＵリクエストを受信する（ステップ２０８）と、ＭＭＥ２２は、ＴＡ２がＵＥ１８、本例ではＳＧＷ−Ｕ１のために現在選択されているＳＧＷ−Ｕ２６によってサービスを提供されているかどうかを判定する。より具体的には、一実施形態では、ＵＥ１８のためのＴＡＵ要求を受信した後、ＭＭＥ２２は現在選択されているＳＧＷ−Ｕ２６によってサービスを提供されるＴＡのリストを（例えばＤＮＳを介して）検索する（ステップ２１０および２１２）。代替的に、ＭＭＥ２２はステップ２０６の直後にステップ２１０および２１２を実行してもよく、ＭＭＥ２２はＵＥ１８の現在選択されているＳＧＷ−Ｕ２６によってサービスを提供されるＴＡを記憶または格納する。このように、ＭＭＥ２２はＳＧＷ−Ｕサービスエリアを知るようになり、例えば従来の方法でＴＡＩリストを入力することができる。また別の代替案では、ＴＡＵ要求を受信した後のステップ２１０および２１２で、ＭＭＥ２２は、ＴＡＵ要求に含まれるＴＡＩが、ＵＥ１８の現在選択されているＳＧＷ−Ｕ２６によってサービスを提供されるかを、ＵＥ１８の現在選択されているＳＧＷ−Ｕ２６が、ＴＡＵ要求で指示されるＴＡ、本例ではＴＡ２、にサービスを提供しているかどうかをＤＮＳに問い合わせることで、判定する。ＤＮＳは現在選択されているＳＧＷ−Ｕ２６がＴＡ２にサービスを提供するかのインジケーションで応答する。
【００８１】
ステップ２１０および２１２で取得された知識に基づいて、ＭＭＥ２２は、ＴＡ２が現在選択されているＳＧＷ−Ｕ２６によってサービスを提供されるかどうかを判定する。その場合、ＭＭＥ２２はＴＡ２のＴＡＩをＵＥ１８のＴＡＩリストに追加し、そうではない場合、ＭＭＥ２２はＵＥ１８のＴＡＩリストを削除またはクリアし、ＴＡ２のＴＡＩのみが含まれるＵＥ１８のための新たなＴＡＩリストを開始する（ステップ２１４）。また、ＴＡ２が現在選択されているＳＧＷ−Ｕ２６によってサービスを提供されてない場合、ＭＭＥ２２はＳＧＷ−Ｃ２４へ、ＴＡ２のＴＡＩに基づいてＵＥ１８のために新たなＳＧＷ−Ｕ２２６が割当てられるまたは選択されるべきであるとのインジケーションを送信する（ステップ２１６）。このインジケーションはセッション変更メッセージで提供されてもよい。インジケーションを受信すると、ＳＧＷ−Ｃ２４はＵＥ１８のための新たなＳＧＷ−Ｕ２６を選択し、手順はステップ２０６に戻り、ＳＧＷ−Ｃ２４はＭＭＥ２２へ、ＵＥ１８に対して新たに選択されるＳＧＷ−Ｕ２６のＳＧＷ−Ｕ識別子を送信する。
【００８２】
本明細書では２Ｂと呼ばれる解決策２の第二の実施形態は、ＴＡを学習し、ＴＡＩリストに影響を及ぼすＳＧＷ−Ｃ２４である。解決策２Ｂは以下を含む：
・ＭＭＥ２２は、ＴＡＵ手順の間、ＳＧＷ−Ｃ２４へ現在のＵＥロケーション（ＴＡ）を送信する。これはＳＧＷ−Ｃ２４が、現在のＴＡが現在のＳＧＷ−Ｕ２６によってサービスを提供されるかを（例えばＤＮＳの助力で）評価することを可能にし、必要であればＳＧＷ−Ｕの再割当てを開始することができる。ＳＧＷ−Ｕ再割当ての手順は３ＧＰＰ  ＴＲ２３．７１４  ６．３．１節に既に記載されている。しかしながら、１つの問題は、新たなＳＧＷ−Ｕ２６が、ＵＥ１８に送信された古いＴＡＩリスト内のＴＡをサポートしてもしなくてもよいことである。これに対処するため、ＭＭＥ２２は新たなＳＧＷ−Ｕ２６がＵＥ１８のために選択されると毎回、ＵＥ１８のＴＡＩリストをクリアする必要があり（本明細書で解決策２Ｂ（１）と呼ぶ）、またはＭＭＥ２２はＵＥ１８の現在のＴＡＩリストをＳＧＷ−Ｃ２４に提供する必要があり、これによってＳＧＷ−Ｃ２４は新たなＳＧＷ−Ｕ２６がリスト内の全てのＴＡをサポートするかを判定し、結果として生じるＴＡＩリストをＭＭＥ２２に戻すよう指示することができる（本明細書で解決策２Ｂ（２）と呼ぶ）。ＳＧＷ−Ｕ２６がＴＡリストの全てのＴＡをサポートしない場合、ＴＡＩリストはクリアされ、１つだけのＴＡ、すなわちＵＥ１８が現在位置する現在のＴＡのみを含む、新たなＴＡＩリストが開始される。ＵＥ１８がＴＡからＴＡに移動する場合、（ＴＡＩリストにない）新たなＴＡに入るたびにＴＡＵメッセージを送信すると、新たなＴＡＩがリストに追加され、リスト内の全てのＴＡＩをＳＧＷ−Ｕ２６がサポートする限り、ＴＡＩリストは増加する。
【００８３】
図７Ａは本開示のいくつかの実施形態に係る解決策２Ｂ（１）の一例を示す。図示するように、ＭＭＥ２２はＵＥ１８に対するＴＡＵ要求を受信し、ＴＡＵ要求はＵＥ１８が現在位置するＴＡのＴＡＩを含む（ステップ３００）。ＭＭＥ２２は、例えばセッション変更要求で、ＴＡＩをＳＧＷ−Ｃ２４に送信する（ステップ３０２）。ＳＧＷ−Ｃ２４は、ＳＧＷ−Ｕ再配置が実行されるべきかどうかを評価する（ステップ３０４）。言い換えれば、ＳＧＷ−Ｃ２４は、ＭＭＥ２２から受信したＴＡＩによって識別されるＴＡが、ＵＥ１８に割当てられた現在のＳＧＷ−Ｕ２６によってサービスを提供されるかを判定する。この判定は、ＵＥ１８に割当てられる現在のＳＧＷ−Ｕ２６によってサービスを提供されるＴＡＩのリストを取得することで行われてもよい。このリストは、例えばＳＧＷ−Ｕ２６のいくつかまたは全てに関するそのようなリストを格納するＤＮＳから取得されてもよい。本例では、ＳＧＷ−Ｃ２４は、ＳＧＷ−Ｕ再割当ては実行されるべきであると判定し、ＳＧＷ−Ｕ再配置を実行することで、ＵＥ１８のための新たなＳＧＷ−Ｕ２６を選択する（ステップ３０６）。新たなＳＧＷ−Ｕ２６はステップ３０２でＭＭＥ２２から受信されたＴＡＩによって識別されるＴＡにサービスを提供するＳＧＷ−Ｕ２６である。ＳＧＷ−Ｃ２４はＭＭＥ２２に、新たなＳＧＷ−Ｕ２６がＵＥ１８のために割当てられた、または選択されたことのインジケーションを送信する（ステップ３０８）。このインジケーションは、例えば上述したように、新たなＳＧＷ−Ｕ２６のＳＧＷ−Ｕ  ＩＰアドレスおよびＴＥＩＤのような、新たなＳＧＷ−Ｕ２６を識別する情報を含んでもよい。インジケーションを受信すると、ＭＭＥ２２はＵＥ１８のＴＡＩリストをクリアし、ＵＥ１８が現在位置するＴＡのＴＡＩ（すなわち、ステップ３００のＴＡＵ要求で受信されたＴＡＩ）を含む、ＵＥ１８の新たなＴＡＩを開始する（ステップ３１０）。
【００８４】
図７Ｂは本開示のいくつかの実施形態に係る解決策２Ｂ（２）の一例を示す。図示するように、ＭＭＥ２２はＵＥ１８からＴＡＵ要求を受信し、ここでＴＡＵ要求はＵＥ１８が現在位置するＴＡのＴＡＩを含む（ステップ４００）。ＭＭＥ２２は、例えばセッション変更要求で、ＴＡＩをＳＧＷ−Ｃ２４に送信する（ステップ４０２）。ＳＧＷ−Ｃ２４は、ＳＧＷ−Ｕ再配置が実行されるべきかどうかを評価する（ステップ４０４）。言い換えれば、ＳＧＷ−Ｃ２４は、ＭＭＥ２２から受信されるＴＡＩによって識別されるＴＡは、ＵＥ１８に割当てられたＳＧＷ−Ｕ２６によってサービスを提供されるかどうかを判定する。この判定は、ＵＥ１８に割当てられた現在のＳＧＷ−Ｕ２６によってサービスを提供されるＴＡＩのリストを取得することで行われてもよい。このリストは、例えばＳＧＷ−Ｕ２６のいくつかまたは全てに関するそのようなリストを格納するＤＮＳから取得されてもよい。この例では、ＳＧＷ−Ｃ２４は、ＳＧＷ−Ｕの再割当てが実行されるべきであると判定し、ＳＧＷ−Ｕ再割当てを実行することで、ＵＥ１８のための新たなＳＧＷ−Ｕ２６を選択するために（ステップ４０６）。新たなＳＧＷ−Ｕ２６はステップ４０２でＭＭＥ２２から受信されたＴＡＩによって識別されるＴＡにサービスを提供するＳＧＷ−Ｕ２６である。さらに、いくつかの実施形態では、可能であれば、ＳＧＷ−Ｃ２４は、新たなＳＧＷ−Ｕ２６がＵＥ１８の現在のＴＡリストの全ての他のＴＡにサービスを提供するように、新たなＳＧＷ−Ｕ２６を選択する。
【００８５】
ＳＧＷ−Ｃ２４は、新たなＳＧＷ−Ｕ２６がＵＥ１８に割当てられる、または選択されたことのインジケーションをＭＭＥ２２に送信する（ステップ４０８）。このインジケーションは、例えば上述したように、新たなＳＧＷ−Ｕ２６のＳＧＷ−Ｕ  ＩＰアドレスおよびＴＥＩＤのような、新たなＳＧＷ−Ｕ２６を識別する情報を含んでもよい。インジケーションを受信すると、本例では、ＭＭＥ２２はＳＧＷ−Ｃ２４にＵＥ１８の現在のＴＡＩリストを送信する（ステップ４１０）。あるいは、ステップ４１０はステップ４０４および／または４０６の前に、ステップ４０２と一緒に提供されてもよい。ＳＧＷ−Ｃ２４は、ＵＥ１８に選択された、または割当てられた新たなＳＧＷ−Ｕ２６が、ＵＥ１８の現在のＴＡＩリストの全てのＴＡにサービスを提供するかを判定し、対応するＴＡＩリスト応答をＭＭＥ２２に送信する（ステップ４１４）。いくつかの実施形態では、ＴＡＩリスト応答は、ＵＥ１８の現在のＴＡＩリストの全てのＴＡが新たなＳＧＷ−Ｕ２６によってサービスを提供されるかどうかのインジケーションである。ＴＡＩリスト応答が、ＵＥ１８の現在のＴＡＩリストの全てのＴＡが新たなＳＧＷ−Ｕ２６によってサービスを提供されてはいないことを示す場合、ＭＭＥ２２はＵＥ１８のＴＡＩリストをクリアし、ＵＥ１８が現在位置するＴＡのＴＡＩのみを含むＵＥ１８のための新たなＴＡＩリストを開始する（ステップ４１６）。しかしながら、ＴＡＩリスト応答が、ＵＥ１８の現在のＴＡＩリストの全てのＴＡが新たなＳＧＷ−Ｕ２６によってサービスを提供される場合、次にＭＭＥ２２はＵＥ１８のＴＡＩリストをクリアせず、ＵＥ１８が現在位置するＴＡのＴＡＩをＴＡＩリストに追加する（ステップ４１６）。
【００８６】
＜解決策３＞
本明細書では解決策３と呼ばれる第３の解決策では、（ＭＭＥ２２への影響なしに）ＳＧＷ−Ｃ２４は分割される。分割の一例を図８に示す。解決策３は以下を含む：
・ＳＧＷ−Ｃ２４は、レガシーＳＧＷと同様のＳＧＷ−ＵＰサービスエリアに対応する「仮想」ＳＧＷ−Ｃに分割される。ＳＧＷ−Ｕリソースはこれらのパーティション内の「プール」に展開される。この構成で、ＳＧＷが現在の発展型パケットコア（ＥＰＣ）アーキテクチャで扱われるのと同様に、ＭＭＥ２２は異なるＳＧＷ−Ｃパーティションを扱う。
・なお、解決策１と同一の最適化が、１つの「仮想ＳＧＷ＿Ｃ」パーティション内で行われる限り、解決策３に対しても行われうる。
【００８７】
図８に示すように、ＳＧＷ−Ｃ２４は複数の仮想ＳＧＷ−Ｃ  ４４−１から４４−４に分割される。なお、本例では４つの仮想ＳＧＷ−Ｃ４４がある一方、２またはそれより多い仮想ＳＧＷ−Ｃ４４の任意の数であってもよい。各仮想ＳＧＷ−Ｃ４４は、複数のＳＧＷ−Ｕ２６（すなわち、１つまたは複数のＳＧＷ−Ｕ２６、しかし好ましくは複数のＳＧＷ−Ｕ２６）を含むＳＧＷ−ＵＰプールによってサービスが提供される、個別のＳＧＷ−Ｕサービスエリアに対応する。ＭＭＥ２２は各仮想ＳＧＷ−Ｃ４４（すなわち、各ＳＧＷ−Ｃパーティション）を個別の（例えばレガシーまたは従来の）ＳＧＷとして扱う。
【００８８】
動作の一例として、図８に示されるように、ＭＭＥ２２はアタッチ要求または代替的にＵＥ１８のためのＴＡに対するＴＡＵ要求を受信する（ステップ５００）。本例では、ＴＡはＴＡ１である。ＭＭＥ２２は、ＵＥ１８に割当てられた仮想ＳＧＷ−Ｃパーティション４４この例では、ＴＡ１のＴＡＩでＤＮＳに問い合わせ（ステップ５０２Ａ）、応答として、仮想ＳＧＷ−Ｃ４４−１のインジケーションを受信する（ステップ５０２Ｂ）ことで、ＵＥ１８に割当てられた仮想ＳＧＷ−Ｃパーティション４４を判定する（ステップ５０２）。ＭＭＥ２２は次に仮想ＳＧＷ−Ｃ４４−１と通信し、ＵＥ１８のためのセッションを生成する（ステップ５０４）。仮想ＳＧＷ−Ｃ４４−１は個別のＳＧＷ−ＵプールのＳＧＷ−Ｕのうちの１つで、ＵＥ１８のセッションを生成する（ステップ５０６）。
【００８９】
＜解決策４＞
本明細書で解決策４と呼ばれる第４の解決策は、ＴＡのハンドリングとＳＧＷ−ＵＰ選択とを切り離す（ｄｅｃｏｕｐｌｅ）する。本解決策では、ＳＧＷ−Ｃ２４がＳＧＷ−Ｕ２６の選択を処理する間に、ＭＭＥ２２はＴＡ（およびＴＡＩリスト）ハンドリングを管理するという意味で、ＴＡハンドリングとＳＧＷ−ＵＰ選択とが切り離される。すなわち、ＭＭＥ２２はＳＧＷ−Ｕサービングエリアを完全に無視するか、実際には解決策１と同様に、全体のＭＭＥサービングエリアが選択されたＳＧＷ−Ｕ２６によってサポートされると仮定することができる。しかしながら、解決策１とは異なり、ＳＧＷサービスエリアを構成する必要はない。代わりに、ＳＧＷ−Ｃ２４は、サービングｅＮＢ（すなわち、サービング無線アクセスノード１４）への適切な接続性を有するＳＧＷ−Ｕ２６が選択されることを確実にすると仮定される。この解決策は、ＳＧＷ  ＴＥＩＤがサービス要求手順の間に変更されうるように、基本的に既存の手順にＳ１１の別のラウンドトリップを導入して、サービス要求手順を変更することを必要とする。一方、ＴＡＵの間、ＵＥ１８が同一のＭＭＥ２２に滞在している限り、ＭＭＥ２２からＳＧＷを通知する必要はない。
【００９０】
ＵＥ１８はアイドル（ＩＤＬＥ）または接続中（ＣＯＮＮＥＣＴＥＤ）の２つの状態の何れかでありうる。ＩＤＬＥでは、無線接続がなく、ＵＥ１８はいずれのｅＮＢにも接続されない。アイドル状態では、ＵＥ１８はＭＭＥ２２にＴＡＵメッセージを送信し、ＵＥ１８はＴＡによってのみ知られる。一方、接続中では、ＵＥ１８は特定のｅＮＢに接続され、ｅＮＢによるＭＭＥ２２によって（セルによって）知られる。データを送受信するために、ＵＥ１８はＩＤＬＥからＣＯＮＮＥＣＴＥＤ状態に移る必要がある。ＵＥ１８は、ｅＮＢへのＳＧＷからセットアップされるＵＥ１８への接続を生じさせるサービス要求メッセージを送信する。従来のシステムでは、ＩＤＬＥ状態の間、システムは、ＵＥがＣＯＮＮＥＣＴＥＤへと移ろうとし、データ送受信を開始する場合、現在のＳＧＷ、すなわち現在のＴＡにサービスを提供するＳＧＷによって接続が提供されうるようにＳＧＷが選択されることを確実にする。サービス要求手順でＳＧＷを変更する必要はない。したがって、ＭＭＥ２２は、ＩＤＬＥ状態の間、ＴＡとＳＧＷとの間の結合を維持することを確実にすると言われる。
【００９１】
続いて、本明細書でＴＡとＳＧＷ−Ｕ２６との切り離し（デカップリング）と呼ばれるものは、ＩＤＬＥの間、ＴＡからＳＧＷ−Ｕへの結合を保証しないことである。ＭＭＥ２２はＵＥ１８の追跡を継続し、どのＴＡにＵＥ１８が配置されるか記憶するが、ＭＭＥ２２はどのＳＧＷ−Ｕ２６がこのＴＡにサービスを提供するかは気にかけない。これは、ＵＥ１８がデータ送信を開始するためにＣＯＮＮＥＣＴＥＤ状態に移る場合、すなわちＵＥ１８がサービス要求メッセージを送信する場合、ＭＭＥ２２は、ＵＥ１８のために割当てられた現在のＳＧＷ−Ｕ２６、すなわち最後にＵＥ１８がＣＯＮＮＥＣＴＥＤであった際に使用されるＳＧＷ−Ｕ２６は、現在のＴＡにサービスを提供できることは全く確信しない。それゆえ、サービス要求手順の間、ＳＧＷ−Ｕ２６は、ＵＥ１８の現在のＴＡにサービスを提供する新たなＳＧＷ−Ｕ２６へ再割当てされる必要があってもよい。これは、ＳＧＷが従来のサービス要求手順の間に変更されない、従来のサービス要求手順から、サービス要求手順が変更されることを意味する。
【００９２】
図９は解決策４の一例を示す。図示するように、ＵＥ１８はＩＤＬＥモードに入る（ステップ６００）。ＩＤＬＥモードの間、ＵＥ１８は１つのＴＡから別のものに移動し、無線アクセスノード１４を介してＭＭＥ２２にＴＡＵ要求を送信する（ステップ６０２および６０４）。ＭＭＥ２２は、ＴＡＵ要求で示されるように、ＵＥ１８の現在のＴＡのＴＡＩを含むようにＵＥ１８のＴＡＩリストを更新する（ステップ６０６）。
【００９３】
ある時点で、ＵＥ１８はＣＯＮＮＥＣＴＥＤモードに遷移し（ステップ６０８）、無線アクセスノード１４を介してＭＭＥ２２にサービス要求を送信する（ステップ６１０および６１２）。続いて、サービス要求手順が実行される。サービス要求手順の間、ＭＭＥ２２はベアラ変更要求をＳＧＷ−Ｃ２４に送信する（ステップ６１４）。ＳＧＷ−Ｃ２４は、ベアラ変更要求を受信すると、必要であればＵＥ１８のための新たなＳＧＷ−Ｕ２６を選択するためにＳＧＷ−Ｕ再割当て手順を実行する（ステップ６１６）。より具体的には、ＳＧＷ−Ｃ２４はＵＥ１８のロケーション（例えば、ＵＥ１８の現在のＴＡのＴＡＩ）を取得する。ＵＥ１８のロケーションは、例えば、ベアラ変更要求に含まれてもよい。ＳＧＷ−Ｃ２４は、ＵＥ１８の配置に基づいてＵＥ１８のための適切なＳＧＷ−Ｕ２６（例えば、ＵＥ１８の現在のＴＡにサービスを提供するＳＧＷ−Ｕ２６）を判定または選択する。判定されたＳＧＷ−Ｕ２６がＵＥ１８の現在のＳＧＷ−Ｕ２６と異なる場合、ＳＧＷ−Ｃ２４は判定されたＳＧＷ−Ｕ２６へＵＥ１８を再割当てする。その後、ある時点で、ＳＧＷ−Ｃ２４は、ＳＧＷ−Ｕ２６の再割当てが実行された場合には新しいＳＧＷ−Ｕ２６である、ＵＥ１８に割当てられたＳＧＷ−Ｕ２６のＭＭＥ２２へインジケーションを送信する（ステップ６１８）。一例として、このインジケーションはベアラ変更応答に含まれていてよい。上述したように、インジケーションはＳＧＷ−Ｕ２６のＩＰアドレスおよびＴＥＩＤを含んでもよい。
【００９４】
解決策４は、概念的な視点からは魅力的に見えうるが、ＵＥ１８がＩＤＬＥ状態からＡＣＴＩＶＥ状態に遷移するときに、ＳＧＷリソース（例えば、ＵＰ  ＴＥＩＤ）が常に使用可能であるというＥＰＣの現在の原則に反する。サービス要求手順の間、ＳＧＷ  ＴＥＩＤを変更する（すなわち、ＳＧＷ  ＵＰを再選択する）ことは現在可能ではない。したがって、解決策４は、ＭＭＥ２２がｅＮＢ（すなわち無線アクセスノード１４）へＳＧＷ  ＴＥＩＤについて通知する前にＳＧＷ−Ｃ２４と情報を交換するために、サービス要求手順の間ごとに、付加的なＳ１１シグナリングおよびレイテンシを必要とする。
【００９５】
図１０は本開示のいくつかの実施形態に係るネットワークノード４６のブロック図を示す。図示するように、ネットワークノード４６は、１つまたは複数のプロセッサ４８（例えば１つまたは複数の中央処理装置（ＣＰＵ）、１つまたは複数の特定用途向け集積回路（ＡＳＩＣ）、１つまたは複数のフィールド・プログラマブル・ゲート・アレイ（ＦＰＧＡ）、および／または同種のもの）、メモリ５０、およびネットワークノード４６から他のネットワークノードに通信可能に結合するネットワークインタフェース５２を含む。いくつかの実施形態では、ネットワークノード４６はＳＧＷ−Ｃ２４を実施する。例えば、本明細書で説明される何れかの実施形態に係るＳＧＷ−Ｃ２４の機能は、メモリ５０に格納され、１つまたは複数のプロセッサ４８によって実行されるソフトウェアに実施されてもよい。他の実施形態では、ネットワークノード４６はＭＭＥ２２を実施する。例えば、本明細書で説明される何れかの実施形態に係るＭＭＥ２２の機能は、メモリ５０に格納され、１つまたは複数のプロセッサ４８によって実行されるソフトウェアに実施されてもよい。しかしながら、ネットワークノード４６は、セルラ通信システム１０のいずれかのネットワークノード（例えば、いずれかのコアネットワークノード）であってもよい。
【００９６】
いくつかの実施形態では、少なくとも１つのプロセッサによって実行される場合に、少なくとも１つのプロセッサに本明細書で説明される実施形態の何れかに係るネットワークノード４６（例えばＳＧＷ−Ｃ２４またはＭＭＥ２２）の機能を実行させる、命令を含むコンピュータプログラムが提供される。いくつかの実施形態では、前述のコンピュータプログラム製品を含むキャリアが提供される。キャリアは電気信号、光信号、無線信号、またはコンピュータ可読記憶媒体（例えばメモリ５０のような非一時的コンピュータ可読媒体）のうちの１つである。
【００９７】
図１１は本開示のいくつかの他の実施形態に係るネットワークノード４６のブロック図を示す。ネットワークノード４６は１つまたは複数のモジュール５４を含み、それぞれはソフトウェアに実施される。いくつかの実施形態では、ネットワークノード４６はＳＧＷ−Ｃ２４を実施し、モジュール５４は本明細書で説明される実施形態のいずれかに係るＳＧＷ−Ｃ２４の機能を提供するよう動作する。他の実施形態では、ネットワークノード４６はＭＭＥ２２を実施し、モジュール５４は本明細書で説明される実施形態のいずれかに係るＭＭＥ２２の機能を提供するよう動作する。
【００９８】
図１２は本開示のいくつかの実施形態に係るＵＥ１８（またはより一般的には無線機器）の概略ブロック図である。図示するように、ＵＥ１８は、１つまたは複数のプロセッサ５６（例えばＣＰＵ、ＡＳＩＣ、ＦＰＧＡ、および／または同種のもの）、メモリ５８、および１つまたは複数のアンテナ６６に結合される１つまたは複数の送信器６２および１つまたは複数の受信器６４をそれぞれ含む１つまたは複数の送受信器６０を含む。いくつかの実施形態では、上述されたＵＥ１８の機能は、例えばメモリ５８に格納され、プロセッサ５６によって実行されるソフトウェアに全部または一部が実施されてもよい。
【００９９】
いくつかの実施形態では、少なくとも１つのプロセッサによって実行される際に、少なくとも１つのプロセッサに本明細書で説明される実施形態の何れかに係るＵＥ１８の機能を実行させる、命令を含むコンピュータプログラムが提供される。いくつかの実施形態では、前述のコンピュータプログラム製品を含むキャリアが提供される。キャリアは電気信号、光信号、無線信号、またはコンピュータ可読記憶媒体（例えばメモリのような非一時的コンピュータ可読媒体）のうちの１つである。
【０１００】
図１３は本開示のいくつかの他の実施形態に係るＵＥ１８（またはより一般的には無線機器）の概略ブロック図である。ＵＥ１８は１つまたは複数のモジュール６８を含み、それぞれはソフトウェアに実施される。モジュール６８は本明細書で説明されるＵＥ１８の機能を提供する。
【０１０１】
以降に、本開示のいくつかの例示的な実施形態を提供する。しかしながら、これらの実施形態は単なる例であることに留意されたい。
＜解決策１＞
実施形態１：セルラ通信システムは、
・サービングゲートウェイ制御プレーンエンティティ（ＳＧＷ−Ｃ）と、
・複数のＳＧＷユーザプレーン（ＳＧＷ−ＵＰ）プールであって、各々が１つまたは複数のＳＧＷユーザエンティティ（ＳＧＷ−Ｕ）を有し、各ＳＧＷ−ＵＰプールが個別のＳＧＷ−ＵＰサービスエリアを有する、複数のＳＧＷ−ＵＰプールと、
・複数のモビリティマネジメントエンティティ（ＭＭＥ）プールであって、各々が１つまたは複数のＭＭＥエンティティを有し、複数のＭＭＥプールの各ＭＭＥプールが、複数のＳＧＷ−ＵＰプールのうちの１つのＳＧＷ−ＵＰサービスエリア内に完全にある個別のＭＭＥカバレッジエリアを有する、複数のＭＭＥプールと、を有する。
実施形態２：ＳＧＷ−ＵＰサービスエリアとＭＭＥカバレッジエリアとの間に１：１のマッピングがある、実施形態１のセルラ通信システム。
実施形態３：各ＳＧＷ−ＵＰプールに対して、ＳＧＷ−ＵＰプール内の１つまたは複数のＳＧＷ−Ｕによって提供されたＳＧＷ−Ｕリソースは、ＳＧＷ−ＵＰサービスエリア内の全てのトラッキングエリアにサービスを提供できる、実施形態１または２に記載のセルラ通信システム。
実施形態４：ＳＧＷ−Ｕ割り当ては最適化される、実施形態１乃至３の何れか１つに記載のセルラ通信システム。
実施形態５：ユーザ装置機器（ＵＥ）のためのＳＧＷ−Ｕ再割当てが有益であるとＳＧＷ−Ｃが判定すると、
・ＳＧＷ−ＵがＵＥに割当てられたＭＭＥエンティティへのＳＧＷ−Ｕ再割当てのインジケーションを（例えばサービス要求手順の間のベアラ変更応答メッセージで）送信する、実施形態４に記載のセルラ通信システム。
実施形態６：ＳＧＷ−Ｃが、ＵＥに対するＳＧＷ−Ｕ再割当てが有益であると判定すると、ＳＧＷ−ＣがＵＥに対するＳＧＷ−Ｕ再割当てを開始する、実施形態４に記載のセルラ通信システム。
実施形態７：ＳＧＷ−Ｃが、対応するサービスエリア内のＳＧＷ−Ｕ機能を選択できるように、どのＭＭＥプールが使用されるかについてＳＧＷ−Ｃが通知される、実施形態１乃至６の何れか１つに記載のセルラ通信システム。
＜解決策２Ａ＞
実施形態８：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）の動作方法であって、
・ＳＧＷ制御プレーンエンティティ（ＳＧＷ−Ｃ）から、ＳＧＷユーザエンティティ（ＳＧＷ−Ｕ）のＳＧＷユーザプレーンエンティティ（ＳＧＷ−ＵＰ）識別子を受信することと、
・ＳＧＷ−Ｕ（２６）のＳＧＷ−Ｕ識別子を用いてＳＧＷ−Ｕによってサービスを提供されるトラッキングエリア（ＴＡ）のリストを取得することと、を含む方法。
実施形態９：ＳＧＷ−ＵのＳＧＷ−Ｕ識別子は、ＳＧＷ−Ｕの完全修飾ドメイン名（ＦＱＤＮ）であり、ＳＧＷ−Ｕによってサービスを提供されるＴＡのリストを取得することは、ＳＧＷ−ＵのＦＱＤＮを用いてドメイン・ネーム・システム（ＤＮＳ）からＳＧＷ−Ｕによってサービスを提供されるＴＡのリストを検索することを含む、実施形態８に記載の方法。
実施形態１０：ＳＧＷ−Ｕは、ユーザ装置機器（ＵＥ）に選択されたＳＧＷ−Ｕであり、方法はさらにＳＧＷ−Ｕによってサービスを提供されるＴＡのリストを用いてＵＥのＴＡ識別子（ＴＡＩ）リストを入力することをさらに含む実施形態８または９に記載の方法。
実施形態１１：ＳＧＷ−ＵがＵＥのために選択されたＳＧＷ−Ｕであり、方法は、
・ＵＥのためのＴＡアップデート（ＴＡＵ）要求を受信することと、
・ＴＡＵ要求によって指示されるＴＡがＵＥのために選択されたＳＧＷ−Ｕによってサービスを提供されるかどうかを判定することと、
・ＴＡＵ要求によって指示されるＴＡがＵＥのために選択されたＳＧＷ−Ｕによってサービスを提供されない場合、ＵＥに対してＳＧＷ−Ｕ再割当て手順を実行することと、をさらに含む、実施形態８に記載の方法。
実施形態１２：ＵＥのためのＳＧＷ−Ｕ再割当て手順を実行することは、
・ＵＥのＴＡＩリストを削除し、ＵＥに対する新たなＴＡＩリストを開始することと、
・ＴＡＵ要求によって指示されるＴＡに基づいて、新たなＳＧＷ−ＵがＵＥに選択される必要があることのインジケーションをＳＧＷ−Ｃに送信することと、を含む、実施形態１１に記載の方法。
実施形態１３：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）であって、ＭＭＥは実施形態８乃至１０の何れか１つの方法に従って動作するよう適合されるＭＭＥ。
実施形態１４：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）であって、ＭＭＥは、
・ＳＧＷ制御プレーンエンティティ（ＳＧＷ−Ｃ）から、ＳＧＷユーザエンティティ（ＳＧＷ−Ｕ）のＳＧＷユーザプレーンエンティティ（ＳＧＷ−ＵＰ）識別子を受信する手段と、
・ＳＧＷ−ＵのＳＧＷ−Ｕ識別子を用いてＳＧＷ−Ｕによってサービスを提供されるトラッキングエリア（ＴＡ）のリストを取得する手段と、を含むＭＭＥ。
実施形態１５：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）であって、ＭＭＥは、
・ＳＧＷ制御プレーンエンティティ（ＳＧＷ−Ｃ）から、ＳＧＷユーザエンティティ（ＳＧＷ−Ｕ）のＳＧＷユーザプレーンエンティティ（ＳＧＷ−ＵＰ）識別子を受信するよう動作可能な受信モジュールと、
・ＳＧＷ−ＵのＳＧＷ−Ｕ識別子を用いてＳＧＷ−Ｕによってサービスを提供されるトラッキングエリア（ＴＡ）のリストを取得するよう動作可能な取得モジュールと、を含むＭＭＥ。
実施形態１６：少なくとも１つのプロセッサで実行される場合に、少なくとも１つのプロセッサに実施形態８乃至１２の何れか１つに係る方法を実行させる命令を含むコンピュータプログラム。
実施形態１７：実施形態１６のコンピュータプログラムを格納するキャリアであって、キャリアは電気信号、光信号、無線信号、またはコンピュータ可読記憶媒体の何れか１つであるキャリア。
＜解決策２Ｂ（１）＞
実施形態１８：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）の動作方法であって、
・ＳＧＷ制御プレーンエンティティ（ＳＧＷ−Ｃ）から、新たなＳＧＷユーザプレーンエンティティ（ＳＧＷ−ＵＰ）がユーザ装置機器（ＵＥ）のために選択されたことのインジケーションを受信することと、
・インジケーションを受信すると、ＵＥのトラッキングエリア識別子（ＴＡＩ）リストをクリアすることと、を含む方法。
実施形態１９：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）であって、ＭＭＥは実施形態１８の方法に従って動作するよう適合されるＭＭＥ。
実施形態２０：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）であって、ＭＭＥは、
・ＳＧＷ制御プレーンエンティティ（ＳＧＷ−Ｃ）から、新たなＳＧＷユーザプレーンエンティティ（ＳＧＷ−ＵＰ）がユーザ装置機器（ＵＥ）のために選択されたことのインジケーションを受信する手段と、
・インジケーションを受信すると、ＵＥのトラッキングエリア識別子（ＴＡＩ）リストをクリアする手段と、を含むＭＭＥ。
実施形態２１：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）であって、ＭＭＥは、
・ＳＧＷ制御プレーンエンティティ（ＳＧＷ−Ｃ）から、新たなＳＧＷユーザプレーンエンティティ（ＳＧＷ−ＵＰ）がユーザ装置機器（ＵＥ）に選択されたことのインジケーションを受信するよう動作可能な受信モジュールと、
・インジケーションを受信すると、ＵＥのＴＡＩリストをクリアするよう動作可能なトラッキングエリア識別子（ＴＡＩ）リストクリアモジュールと、を有するＭＭＥ。
実施形態２２：少なくとも１つのプロセッサで実行される場合に、少なくとも１つのプロセッサに実施形態１８に係る方法を実行させる命令を含むコンピュータプログラム。
実施形態２３：実施形態２２のコンピュータプログラムを格納するキャリアであって、キャリアは電気信号、光信号、無線信号、またはコンピュータ可読記憶媒体の何れか１つであるキャリア。
＜解決策２Ｂ（２）＞
実施形態２４：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）の動作方法であって、
・ユーザ装置機器（ＵＥ）の現在のトラッキングエリア識別子（ＴＡＩ）リストにＳＧＷ制御プレーンエンティティ（ＳＧＷ−Ｃ）を提供することと、
・ＵＥのためのＳＧＷ−Ｃによって実行されるＳＧＷユーザエンティティ（ＳＧＷ−Ｕ）再割当て手順の結果として生じる、ＴＡＩリストの結果のＴＡＩリストのインジケーションを受信することと、を含む方法。
実施形態２５：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）であって、ＭＭＥは実施形態２４の方法に従って動作するよう適合されるＭＭＥ。
実施形態２６：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）であって、ＭＭＥは、
・ユーザ装置機器（ＵＥ）の現在のトラッキングエリア識別子（ＴＡＩ）リストにＳＧＷ制御プレーンエンティティ（ＳＧＷ−Ｃ）を提供する手段と、
・ＵＥのためのＳＧＷ−Ｃによって実行されるＳＧＷユーザエンティティ（ＳＧＷ−Ｕ）再割当て手順の結果として生じる、ＴＡＩリストの結果のＴＡＩリストのインジケーションを受信する手段と、を含むＭＭＥ。
実施形態２７：セルラ通信システムであって、サービングゲートウェイ（ＳＧＷ）ユーザプレーン機能がＳＧＷ制御プレーン機能から分離されているアーキテクチャを有するセルラ通信システムのモビリティマネジメントエンティティ（ＭＭＥ）であって、ＭＭＥは、
・ユーザ装置機器（ＵＥ）の現在のトラッキングエリア識別子（ＴＡＩ）リストにＳＧＷ制御プレーンエンティティ（ＳＧＷ−Ｃ）を提供するよう動作可能な提供モジュールと、
・ＵＥのためのＳＧＷ−Ｃによって実行されるＳＧＷユーザエンティティ（ＳＧＷ−Ｕ）再割当て手順の結果として生じる、ＴＡＩリストの結果のＴＡＩリストのインジケーションを受信するよう動作可能な受信モジュールと、を含むＭＭＥ。
実施形態２８：少なくとも１つのプロセッサで実行される場合に、少なくとも１つのプロセッサに実施形態２４に係る方法を実行させる命令を含むコンピュータプログラム。
実施形態２９：実施形態２８のコンピュータプログラムを格納するキャリアであって、キャリアは電気信号、光信号、無線信号、またはコンピュータ可読記憶媒体の何れか１つであるキャリア。
実施形態３０：セルラ通信システムであって、ＳＧＷユーザプレーン機能がＳＧＷ制御プレーン機能から分離されているアーキテクチャを有するセルラ通信システムのサービングゲートウェイ制御プレーンエンティティ（ＳＧＷ−Ｃ）の動作方法であって、
・モビリティマネジメントエンティティ（ＭＭＥ）から、ユーザ装置機器（ＵＥ）の現在のトラッキングエリア識別子（ＴＡＩ）リストを受信することと、
・ＵＥのための新たなＳＧＷユーザエンティティ（ＳＧＷ−Ｕ）を選択することと、
・ＵＥの新たなＳＧＷ−Ｕが、ＵＥの現在のＴＡＩリストの全てのトラッキングエリアをサポートするかどうかを判定することと、
・判定に基づいて、結果として生じるＵＥのためのＴＡＩリストをＭＭＥに提供することと、を含む方法。
実施形態３１：セルラ通信システムであって、ＳＧＷユーザプレーン機能がＳＧＷ制御プレーン機能から分離されているアーキテクチャを有するセルラ通信システムのサービングゲートウェイ制御プレーンエンティティ（ＳＧＷ−Ｃ）であって、ＳＧＷ−Ｃは実施形態３０に記載の方法に従って動作するよう適合されるＳＧＷ−Ｃ。
実施形態３２：セルラ通信システムのためのサービングゲートウェイ制御プレーンエンティティ（ＳＧＷ−Ｃ）であって、セルラ通信システムは、ＳＧＷユーザプレーン機能がＳＧＷ制御プレーン機能から分離されているアーキテクチャを有し、ＳＧＷ−Ｃは、
・モビリティマネジメントエンティティ（ＭＭＥ）から、ユーザ装置機器（ＵＥ）の現在のトラッキングエリア識別子（ＴＡＩ）リストを受信する手段と、
・ＵＥのための新たなＳＧＷユーザエンティティ（ＳＧＷ−Ｕ）を選択する手段と、
・ＵＥの新たなＳＧＷ−Ｕが、ＵＥの現在のＴＡＩリストの全てのトラッキングエリアをサポートするかどうかを判定する手段と、
・判定に基づいて、ＵＥのための結果として生じるＴＡＩリストをＭＭＥに提供する手段と、を含むＳＧＷ−Ｃ。
実施形態３３：セルラ通信システムのためのサービングゲートウェイ制御プレーンエンティティ（ＳＧＷ−Ｃ）であって、セルラ通信システムは、ＳＧＷユーザプレーン機能がＳＧＷ制御プレーン機能から分離されているアーキテクチャを有し、ＳＧＷ−Ｃは、
・モビリティマネジメントエンティティ（ＭＭＥ）から、ユーザ装置機器（ＵＥ）の現在のトラッキングエリア識別子（ＴＡＩ）リストを受信するよう動作可能な受信モジュールと、
・ＵＥのための新たなＳＧＷユーザエンティティ（ＳＧＷ−Ｕ）を選択するよう動作可能な選択モジュールと、
・ＵＥの新たなＳＧＷ−Ｕが、ＵＥの現在のＴＡＩリストの全てのトラッキングエリア（ＴＡ）をサポートするかどうかを判定するよう動作可能な判定モジュールと、
・判定に基づいて、結果として生じるＵＥのためのＴＡＩリストをＭＭＥに提供するよう動作可能な提供モジュールと、を含むＳＧＷ−Ｃ。
実施形態３４：少なくとも１つのプロセッサで実行される場合に、少なくとも１つのプロセッサに実施形態３０に係る方法を実行させる命令を含むコンピュータプログラム。
実施形態３５：実施形態３４のコンピュータプログラムを格納するキャリアであって、キャリアは電気信号、光信号、無線信号、またはコンピュータ可読記憶媒体の何れか１つであるキャリア。
＜解決策３＞
実施形態３６：セルラ通信システムは、
・サービングゲートウェイ制御プレーンエンティティ（ＳＧＷ−Ｃ）であって、個別の複数のＳＧＷユーザプレーン（ＳＧＷ−ＵＰ）サービスエリアに対応する複数の仮想ＳＧＷ−Ｃに分割されているＳＧＷ−Ｃと、
・複数のＳＧＷ−ＵＰプールであって、各々が１つまたは複数のＳＧＷユーザエンティティ（ＳＧＷ−Ｕ）を含み、各ＳＧＷ−ＵＰプールが複数のＳＧＷ−ＵＰサービスエリアのうちの個別の１つにサービスを提供する、複数のＳＧＷ−ＵＰプールと、を有するセルラ通信システム。
＜解決策４＞
実施形態３７：セルラ通信システムは、
・サービングゲートウェイ制御プレーンエンティティ（ＳＧＷ−Ｃ）と、
・複数のＳＧＷユーザプレーン（ＳＧＷ−ＵＰ）プールであって、各々が１つまたは複数のＳＧＷユーザエンティティ（ＳＧＷ−Ｕ）を有し、各ＳＧＷ−ＵＰプールが個別のＳＧＷ−ＵＰサービスエリアを有する、複数のＳＧＷ−ＵＰプールと、
・複数のモビリティマネジメントエンティティ（ＭＭＥ）プールであって、各々が１つまたは複数のＭＭＥエンティティを有し、複数のＭＭＥプールの各ＭＭＥプールが、複数のＳＧＷ−ＵＰプールのうちの１つのＳＧＷ−ＵＰサービスエリア内に完全にある個別のＭＭＥカバレッジエリアを有する、複数のＭＭＥプールと、を有し、
・トラッキングエリア（ＴＡ）ハンドリングおよびＳＧＷ−ＵＰ選択は、ユーザ装置機器（ＵＥ）がＩＤＬＥモードで動作するとき、ＵＥのために結合するＳＧＷ−ＵへのＴＡが保証されないように切り離されるセルラ通信システム。
実施形態３８：ＵＥからのサービス要求に応じて実行されるサービス要求手順の間、ＳＧＷ−Ｕ再割当て手順がＵＥに対して実行される実施形態３７に記載のセルラ通信システム。
【０１０２】
以下の略語は、本開示にわたって使用される。
・３ＧＰＰ  第三世代パートナーシッププロジェクト
・ＡＳＩＣ  特定用途向け集積回路
・ＣＰＵ  中央処理装置
・ＤＮＳ  ドメイン・ネーム・システム
・ＥＣＩ  拡張型ユニバーサル地上無線アクセスネットワーク・セル識別子
・ｅＮＢ  拡張型または発展型ノードＢ
・ＥＰＣ  発展型パケットコア
・Ｅ−ＵＴＲＡＮ  拡張型ユニバーサル地上無線アクセスネットワーク
・ＦＰＧＡ  フィールド・プログラマブル・ゲート・アレイ
・ＦＱＤＮ  完全修飾ドメイン名
・ＩＤ  識別子
・ＩＥ  情報エレメント
・ＩＰ  インターネットプロトコル
・ＩＰ−ＣＡＮ  インターネットプロトコル接続アクセスネットワーク
・ＬＴＥ  ロング・ターム・エボリューション
・ＭＭＥ  モビリティマネジメントエンティティ
・ＰＣＥＦ  ポリシー制御施行機能
・ＰＣＲＦ  ネットワークポリシーおよび課金ルール機能
・ＰＤＮ  パケットデータネットワーク
・ＰＧＷ  パケットデータネットワーク・ゲートウェイ
・ＲＡＮ  無線アクセスネットワーク
・ＲＲＣ  無線リソース制御
・ＳＡ  システムアーキテクチャ
・ＳＧＷ  サービングゲートウェイ
・ＴＡ  トラッキングエリア
・ＴＡＩ  トラッキングエリア識別子
・ＴＡＵ  トラッキングエリアアップデート
・ＴＥＩＤ  トンネルエンドポイント識別子
・ＴＲ  テクニカルレポート
・ＵＥ  ユーザ装置
・ＵＰ  ユーザプレーン
【０１０３】
当業者であれば、本開示の実施形態に対する改善および修正を認識するであろう。そのような改良および修正はすべて、本明細書および添付の特許請求の範囲に開示された概念の範囲内であると見なされる。
【図１】
2019502330.tif 000003
【図２】
2019502330.tif 000004
【図３】
2019502330.tif 000005
【図４】
2019502330.tif 000006
【図５】
2019502330.tif 000007
【図６】
2019502330.tif 000008
【図７Ａ】
2019502330.tif 000009
【図７Ｂ】
2019502330.tif 000010
【図８】
2019502330.tif 000011
【図９】
2019502330.tif 000012
【図１０】
2019502330.tif 000013
【図１１】
2019502330.tif 000014
【図１２】
2019502330.tif 000015
【図１３】
2019502330.tif 000016
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
セルラ通信システム（１０）であって、サービングゲートウェイ（ＳＧＷ）ユーザプレーン機能がＳＧＷ制御プレーン機能から分離されているアーキテクチャを有する、前記セルラ通信システム（１０）は、
サービングゲートウェイ制御プレーンエンティティ（ＳＧＷ−Ｃ）（２４）であって、個別の複数のＳＧＷユーザプレーン（ＳＧＷ−ＵＰ）サービスエリア（３０）に対応する複数の仮想ＳＧＷ−Ｃ（４４）に分割されているＳＧＷ−Ｃ（２４）と、
複数のＳＧＷ−ＵＰプール（２８）であって、各々が１つまたは複数のＳＧＷユーザエンティティ（ＳＧＷ−Ｕ）（２６）を含み、各ＳＧＷ−ＵＰプール（２８）が前記複数のＳＧＷ−ＵＰサービスエリア（３０）のうちの個別の１つにサービスを提供する、複数のＳＧＷ−ＵＰプール（２８）と、
を有するセルラ通信システム（１０）。
【請求項２】
前記複数の仮想ＳＧＷ−Ｃ（４４）のうちの各仮想ＳＧＷ−Ｃ（４４）は、モビリティマネジメントエンティティ（ＭＭＥ）（２２）によって、レガシーＳＧＷとして扱われる請求項１に記載のセルラ通信システム（１０）。
【請求項３】
トラッキングエリア（３６）のユーザ装置機器（ＵＥ）（１８）からアタッチ要求またはトラッキングエリア更新要求を受信し、
前記トラッキングエリア（３６）にサービスを提供する前記複数の仮想ＳＧＷ−Ｃ（４４）のうちの１つのインジケーションを取得し、
前記ＵＥ（１８）と、前記トラッキングエリア（３６）にサービスを提供する前記複数の仮想ＳＧＷ−Ｃ（４４）のうちの前記１つとの間のセッションを生成するよう前記ＳＧＷ−Ｃ（２４）と通信する、
ように動作可能なＭＭＥ（２２）をさらに含む請求項１または２に記載のセルラ通信システム（１０）。
【請求項４】
セルラ通信システム（１０）のためのサービングゲートウェイ制御プレーンエンティティ（ＳＧＷ−Ｃ）（２４）であって、前記セルラ通信システム（１０）は、サービングゲートウェイ（ＳＧＷ）ユーザプレーン機能がＳＧＷ制御プレーン機能から分離されているアーキテクチャを有し、前記ＳＧＷ−Ｃ（２４）は、
個別の複数の仮想ＳＧＷ−Ｃ（４４）であって、前記複数の仮想ＳＧＷ−Ｃ（４４）が個別の複数のＳＧＷユーザプレーン（ＳＧＷ−ＵＰ）サービスエリア（３０）に対応する、個別の複数の仮想ＳＧＷ−Ｃ（４４）を形成する複数のパーティションを有するＳＧＷ−Ｃ（２４）。
【請求項５】
前記複数の仮想ＳＧＷ−Ｃ（４４）のうちの各仮想ＳＧＷ−Ｃ（４４）は、モビリティマネジメントエンティティ（ＭＭＥ）（２２）によって、レガシーＳＧＷとして扱われる請求項４に記載のＳＧＷ−Ｃ（２４）。
【請求項６】
セルラ通信システム（１０）のためのサービングゲートウェイ制御プレーンエンティティ（ＳＧＷ−Ｃ）（２４）を実施するネットワークノード（４６）であって、前記セルラ通信システム（１０）は、サービングゲートウェイ（ＳＧＷ）ユーザプレーン機能がＳＧＷ制御プレーン機能から分離されているアーキテクチャを有し、前記ネットワークノード（４６）は、
少なくとも１つのプロセッサ（４８）と、
前記少なくとも１つのプロセッサ（４８）によって実行可能な命令を含むメモリであって、前記ネットワークノード（４６）は、
前記ＳＧＷ−Ｃ（２４）を、複数の仮想ＳＧＷ−Ｃ（４４）であって、個別の複数のＳＧＷユーザプレーン（ＳＧＷ−ＵＰ）サービスエリア（３０）に対応する、前記複数の仮想ＳＧＷ−Ｃ（４４）に分割するように動作可能である命令を含む前記メモリ（５０）と、
を備えるネットワークノード（４６）。
【請求項７】
前記複数の仮想ＳＧＷ−Ｃ（４４）のうちの各仮想ＳＧＷ−Ｃ（４４）は、モビリティマネジメントエンティティ（ＭＭＥ）（２２）によって、レガシーＳＧＷとして扱われる請求項６に記載のネットワークノード（４６）。
【請求項８】
サービングゲートウェイ（ＳＧＷ）ユーザプレーン機能がＳＧＷ制御プレーン機能から分離されているアーキテクチャを有するセルラ通信システム（１０）であって、
サービングゲートウェイ制御プレーンエンティティ（ＳＧＷ−Ｃ）（２４）と、
複数のＳＧＷユーザプレーン（ＳＧＷ−ＵＰ）プール（２８）であって、各々が１つまたは複数のＳＧＷユーザエンティティ（ＳＧＷ−Ｕ）（２６）を有し、各ＳＧＷ−ＵＰプール（２８）が個別のＳＧＷ−ＵＰサービスエリア（３０）を有する、前記複数のＳＧＷ−ＵＰプール（２８）と、
複数のモビリティマネジメントエンティティ（ＭＭＥ）プール（３２）であって、各々が１つまたは複数のＭＭＥ（２２）を有し、前記複数のＭＭＥプール（３２）の各ＭＭＥプール（３２）が、前記複数のＳＧＷ−ＵＰプール（２８）のうちの１つの前記ＳＧＷ−ＵＰサービスエリア（３０）内に完全にある個別のＭＭＥカバレッジエリア（３４）を有する、前記複数のＭＭＥプール（３２）と、
を有するセルラ通信システム（１０）。
【請求項９】
ＳＧＷ−ＵＰサービスエリア（３０）とＭＭＥカバレッジエリア（３４）との間に１：１のマッピングがある請求項８に記載のセルラ通信システム（１０）。
【請求項１０】
各ＳＧＷ−ＵＰプール（２８）に対して、前記ＳＧＷ−ＵＰプール（２８）内の前記１つまたは複数のＳＧＷ−Ｕ（２６）によって提供されたＳＧＷ−Ｕリソースは、前記ＳＧＷ−ＵＰサービスエリア（３０）内の全てのトラッキングエリア（３６）にサービスを提供できる請求項８または９に記載のセルラ通信システム（１０）。
【請求項１１】
ＳＧＷ−Ｕ割り当ては最適化される請求項８乃至１０の何れか１項に記載のセルラ通信システム（１０）。
【請求項１２】
ＳＧＷ−Ｕ割当ては、基地局（１４）に関する前記１つまたは複数のＳＧＷ−Ｕ（２６）のロケーションに基づいて最適化される請求項１１に記載のセルラ通信システム（１０）。
【請求項１３】
ユーザ装置機器（ＵＥ）（１８）のためのＳＧＷ−Ｕ再割当てが有益であると前記ＳＧＷ−Ｃ（２４）が判定すると、
・前記ＳＧＷ−Ｃ（２４）が、前記ＵＥ（１８）に割当てられたＭＭＥ（２２）への前記ＳＧＷ−Ｕ再割当てのインジケーションを送信する請求項１１に記載のセルラ通信システム（１０）。
【請求項１４】
前記ＳＧＷ−Ｃ（２４）が、ベアラ変更応答メッセージにおけるサービス要求手順の間に、前記ＭＭＥ（２２）への前記ＳＧＷ−Ｕ再割当てのインジケーションを送信する請求項１３に記載のセルラ通信システム（１０）。
【請求項１５】
前記ＳＧＷ−Ｃ（２４）が、アクティブフラグ設定でトラッキングエリアアップデートの間に、前記ＭＭＥ（２２）への前記ＳＧＷ−Ｕ再割当てのインジケーションを送信する請求項１３に記載のセルラ通信システム（１０）。
【請求項１６】
前記ＳＧＷ−Ｕ再割当ての前記インジケーションが、個別のＳＧＷ−Ｕ（２６）のインターネットプロトコル（ＩＰ）アドレスおよびトンネルエンドポイント識別子（ＴＥＩＤ）を含む請求項１３乃至１５の何れか１項に記載のセルラ通信システム（１０）。
【請求項１７】
前記ＳＧＷ−Ｃ（２４）が、ＵＥ（１８）に対するＳＧＷ−Ｕ再割当てが有益であると判定することに応じて、前記ＳＧＷ−Ｃ（２４）が前記ＵＥ（１８）に対するＳＧＷ−Ｕ再割当てを開始する請求項１１に記載のセルラ通信システム（１０）。
【請求項１８】
前記ＳＧＷ−Ｃ（２４）が、対応するサービスエリア内のＳＧＷ−Ｕ機能を選択できるように、どのＭＭＥプール（３２）が使用されるかについて前記ＳＧＷ−Ｃ（２４）が通知される請求項８乃至１７の何れか１項に記載のセルラ通信システム（１０）。
【請求項１９】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）の動作方法であって、
ＳＧＷ制御プレーンエンティティ（ＳＧＷ−Ｃ）（２４）へ、ユーザ装置（ＵＥ）（１８）の現在のロケーションを送信すること（２０２）と、
前記ＳＧＷ−Ｃ（２４）から、前記ＵＥ（１８）の前記現在のロケーションに基づいて前記ＵＥ（１８）に割当てられたＳＧＷ−Ｕ（２６）のＳＧＷユーザプレーンエンティティ（ＳＧＷ−Ｕ）識別子を受信すること（２０６）と、
前記ＵＥ（１８）から、トラッキングエリアアップデートであって、前記ＵＥ（１８）が位置するトラッキングエリアを識別する前記トラッキングエリアアップデートを受信すること（２０８）と、
前記ＵＥ（１８）に割当てられた前記ＳＧＷ−Ｕ（２６）の前記ＳＧＷ−Ｕ識別子に基づいて、前記トラッキングエリアアップデートによって識別される前記トラッキングエリアが前記ＵＥ（１８）に割当てられた前記ＳＧＷ−Ｕ（２６）によってサービスを提供されるかどうかを判定すること（２１０−２１４）と、
を含む方法。
【請求項２０】
前記トラッキングエリアアップデートによって識別される前記トラッキングエリア（３６）が前記ＵＥ（１８）に割当てられた前記ＳＧＷ−Ｕ（２６）によってサービスを提供されるかどうかを判定することは、
前記ＳＧＷ−Ｕ（２６）の前記ＳＧＷ−Ｕ識別子を用いて前記ＳＧＷ−Ｕ（２６）によってサービスを提供されるトラッキングエリア（３６）のリストを取得すること（２１０−２１２）と、
前記トラッキングエリアアップデートによって識別される前記トラッキングエリア（３６）が、前記ＵＥ（１８）に割当てられた前記ＳＧＷ−Ｕ（２６）の前記ＳＧＷ−Ｕ識別子を用いて取得された前記ＳＧＷ−Ｕ（２６）によってサービスを提供される前記トラッキングエリアのリストにあるかどうかを判定すること（２１４）と、
を含む請求項１９に記載の方法。
【請求項２１】
前記ＳＧＷ−Ｕ（２６）の前記ＳＧＷ−Ｕ識別子は、前記ＳＧＷ−Ｕ（２６）の完全修飾ドメイン名（ＦＱＤＮ）であり、前記ＳＧＷ−Ｕ（２６）によってサービスを提供される前記トラッキングエリア（３６）のリストを取得すること（２１０−２１２）は、前記ＳＧＷ−Ｕ（２６）の前記ＦＱＤＮを用いてドメイン・ネーム・システム（ＤＮＳ）から前記ＳＧＷ−Ｕ（２６）によってサービスを提供される前記トラッキングエリア（３６）のリストを検索すること（２１０−２１２）を含む請求項２０に記載の方法。
【請求項２２】
前記トラッキングエリアアップデートによって特定される前記トラッキングエリア（３６）が前記ＵＥ（１８）に割当てられた前記ＳＧＷ−Ｕ（２６）によってサービスを提供されるかどうかを判定すること（２１０−２１４）は、
サーバに、前記トラッキングエリアアップデートで識別された前記トラッキングエリア（２６）が前記ＳＧＷ−Ｕ識別子を有する前記ＳＧＷ−Ｕによってサービスを提供されるかどうかを問い合わせる要求を送信すること（２１０）と、
前記サーバから、前記トラッキングエリアアップデートで識別された前記トラッキングエリア（３６）が前記ＳＧＷ−Ｕ識別子を有する前記ＳＧＷ−Ｕによってサービスを提供されるかどうかのインジケーションを含む応答を受信すること（２１２）と、
を含む請求項１９に記載の方法。
【請求項２３】
前記ＳＧＷ−Ｕ（２６）の前記ＳＧＷ−Ｕ識別子は前記ＳＧＷ−Ｕ（２６）の完全修飾ドメイン名（ＦＱＤＮ）であり、
前記要求を送信すること（２１０）は、ドメイン・ネーム・サーバ（ＤＮＳ）への要求であって、前記ＳＧＷ−Ｕ（２６）の前記ＦＱＤＮおよび前記トラッキングエリア（３６）の識別子を含む前記要求を送信すること（２１０）を含む請求項２２に記載の方法。
【請求項２４】
前記トラッキングエリア（３６）が前記ＳＧＷ−Ｕ（２６）によってサービスを提供される場合に、前記トラッキングエリア（３６）を前記ＵＥ（１８）トラッキングエリアリストに追加すること（２１４）と、
前記トラッキングエリア（３６）が前記ＳＧＷ−Ｕ（２６）によってサービスを提供されていない場合に、前記ＵＥ（１８）の新たなトラッキングエリアリストが前記トラッキングエリアアップデートで識別される前記トラッキングエリア（３６）のみを含むように、前記ＵＥ（１８）の前記トラッキングエリアリストを削除すること（２１４）と、
をさらに含む請求項１９乃至２３の何れか１項に記載の方法。
【請求項２５】
前記トラッキングエリアアップデートによって指示される前記トラッキングエリア（３６）が前記ＵＥ（１８）に対して割当てられる前記ＳＧＷ−Ｕ（２６）によってサービスを提供されない場合、前記ＳＧＷ−Ｃ（２４）を介して前記ＵＥ（１８）に対してＳＧＷ−Ｕ再割当て手順を開始すること（２１６）をさらに含む請求項１９に記載の方法。
【請求項２６】
前記トラッキングエリアアップデートによって指示される前記トラッキングエリア（３６）が前記ＵＥ（１８）に対して割当てられた前記ＳＧＷ−Ｕ（２６）によってサービスを提供されない場合、
前記ＵＥ（１８）のトラッキングエリア識別子（ＴＡＩ）リストを削除し（２１４）、前記ＵＥ（１８）に対する新たなＴＡＩリストを開始することと、
前記トラッキングエリアアップデートによって指示される前記トラッキングエリア（３６）に基づいて、新たなＳＧＷ−Ｕ（２６）が前記ＵＥ（１８）に割当てられる必要があることのインジケーションを前記ＳＧＷ−Ｃ（２４）に送信すること（２１６）と、
をさらに含む請求項１９に記載の方法。
【請求項２７】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、前記ＭＭＥ（２２）は請求項１９乃至２６の何れか１項の方法に従って動作するよう適合されるＭＭＥ。
【請求項２８】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、
ＳＧＷ制御プレーンエンティティ（ＳＧＷ−Ｃ）（２４）へ、ユーザ装置（ＵＥ）（１８）の現在のロケーションを送信するよう動作可能な送信モジュール（５４）と、
前記ＳＧＷ−Ｃ（２４）から、前記ＵＥ（１８）の前記現在のロケーションに基づいて前記ＵＥ（１８）に割当てられたＳＧＷユーザプレーンエンティティ（ＳＧＷ−Ｕ）（２６）のＳＧＷ−Ｕ識別子を受信するよう動作可能な第一の受信モジュール（５４）と、
前記ＵＥ（１８）からトラッキングエリアアップデートであって、前記ＵＥ（１８）が配置されるトラッキングエリア（３６）を識別する前記トラッキングエリアアップデートを受信するよう動作可能な第二の受信モジュール（５４）と、
前記ＵＥ（１８）に割当てられた前記ＳＧＷ−Ｕ（２６）によって、前記トラッキングエリアアップデートによって識別される前記トラッキングエリア（３６）がサービスを提供されるかどうかを、前記ＵＥ（１８）に割当てられた前記ＳＧＷ−Ｕ（２６）の前記ＳＧＷ−Ｕ識別子に基づいて判定するよう動作可能な判定モジュール（５４）と、
を含むＭＭＥ（２２）。
【請求項２９】
少なくとも１つのプロセッサで実行される場合に、前記少なくとも１つのプロセッサに請求項１９乃至２６の何れか１項に係る前記方法を実行させる命令を含むコンピュータプログラム。
【請求項３０】
請求項２９の前記コンピュータプログラムを格納するコンピュータ可読記憶媒体。
【請求項３１】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のためのモビリティマネジメントエンティティ（ＭＭＥ）（２２）の動作方法であって、
・ＳＧＷ制御プレーンエンティティ（ＳＧＷ−Ｃ）（２４）から、新たなＳＧＷユーザプレーンエンティティ（ＳＧＷ−Ｕ）（２６）がユーザ装置機器（ＵＥ）（１８）に割当てられたことのインジケーションを受信すること（３０８）と、
・前記インジケーションを受信すると、前記ＵＥ（１８）のトラッキングエリア識別子（ＴＡＩ）リストをクリアすること（３１０）と、を含む方法。
【請求項３２】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、前記ＭＭＥ（２２）は請求項３１の方法に従って動作するよう適合されるＭＭＥ。
【請求項３３】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、
・ＳＧＷ制御プレーンエンティティ（ＳＧＷ−Ｃ）（２４）から、新たなＳＧＷユーザプレーンエンティティ（ＳＧＷ−Ｕ）（２６）がユーザ装置機器（ＵＥ）（１８）に対して選択されたことのインジケーションを受信するよう動作可能な受信モジュール（５４）と、
・前記インジケーションを受信すると、前記ＵＥ（１８）のＴＡＩリストをクリアするよう動作可能なトラッキングエリア識別子（ＴＡＩ）リストクリアモジュール（５４）と、
をさらに含むＭＭＥ（２２）。
【請求項３４】
少なくとも１つのプロセッサで実行される場合に、前記少なくとも１つのプロセッサに請求項３１の何れか１項に係る前記方法を実行させる命令を含むコンピュータプログラム。
【請求項３５】
請求項３４の前記コンピュータプログラムを格納するコンピュータ可読記憶媒体。
【請求項３６】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のためのモビリティマネジメントエンティティ（ＭＭＥ）（２２）の動作方法であって、
トラッキングエリア識別子（ＴＡＩ）を有するトラッキングエリア（３６）のユーザ装置機器（ＵＥ）（１８）からトラッキングエリア更新要求を受信すること（４００）と、
前記ＵＥ（１８）の前記ＴＡＩおよびＴＡＩリストをＳＧＷ制御プレーンエンティティ（ＳＧＷ−Ｃ）（２４）へ提供すること（４０２、４１０）と、
前記ＳＧＷ−Ｃ（２４）から、前記ＳＧＷ−Ｃ（２４）によって実行されるＳＧＷ−Ｕ再割当て手順の結果として、前記ＵＥ（１８）に割当てられた新たなＳＧＷユーザプレーンエンティティ（ＳＧＷ−Ｕ）（２６）が、前記ＵＥ（１８）の前記ＴＡＩリストの全てのトラッキングエリア（３６）にサービスを提供するかどうかのインジケーションを受信すること（４１４）と、
を含む方法。
【請求項３７】
前記ＵＥ（１８）の前記ＴＡＩリストの全てのトラッキングエリア（３６）が前記ＵＥ（１８）に割当てられた前記新たなＳＧＷ−Ｕ（２６）によってサービスを提供されない場合、前記ＵＥ（１８）の前記ＴＡＩリストをクリアすること（４１６）をさらに含む請求項３６に記載の方法。
【請求項３８】
前記ＵＥ（１８）の前記ＴＡＩリストの全てのトラッキングエリア（３６）が前記ＵＥ（１８）に割当てられた前記新たなＳＧＷ−Ｕ（２６）によってサービスを提供される場合、前記ＵＥ（１８）の前記ＴＡＩリストを維持すること（４１６）をさらに含む請求項３６または３７に記載の方法。
【請求項３９】
セルラ通信システム（１０）であって、サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、前記ＭＭＥ（２２）は請求項３６乃至３８の何れか１項の方法に従って動作するよう適合されるＭＭＥ（２２）。
【請求項４０】
サービングゲートウェイ（ＳＧＷ）ユーザプレーン機能がＳＧＷ制御プレーン機能から分離されているアーキテクチャを有する前記セルラ通信システム（１０）のモビリティマネジメントエンティティ（ＭＭＥ）（２２）であって、前記ＭＭＥ（２２）は、
トラッキングエリア識別子（ＴＡＩ）を有するトラッキングエリア（３６）のユーザ装置機器（ＵＥ）（１８）からトラッキングエリア更新要求を受信するよう動作可能な第一の受信モジュール（４００）と、
前記ＵＥ（１８）の前記ＴＡＩおよびＴＡＩリストをＳＧＷ制御プレーンエンティティ（ＳＧＷ−Ｃ）（２４）へ提供するよう動作可能な提供モジュール（５４）と、
前記ＳＧＷ−Ｃ（２４）によって実行されるＳＧＷ−Ｕ再割当て手順の結果として前記ＵＥ（１８）に割当てられた新たなＳＧＷユーザプレーンエンティティ（ＳＧＷ−Ｕ）（２６）が、前記ＵＥ（１８）の前記ＴＡＩリストの全てのトラッキングエリア（３６）にサービスを提供するかどうかのインジケーションを、前記ＳＧＷ−Ｃ（２４）から受信するよう動作可能な第二の受信モジュール（５４）と、
を含むＭＭＥ（２２）。
【請求項４１】
少なくとも１つのプロセッサで実行される場合に、前記少なくとも１つのプロセッサに請求項３６乃至３８の何れか１項に係る前記方法を実行させる命令を含むコンピュータプログラム。
【請求項４２】
請求項４１の前記コンピュータプログラムを格納するコンピュータ可読記憶媒体。
【請求項４３】
サービングゲートウェイ（ＳＧＷ）ユーザプレーン機能がＳＧＷ制御プレーン機能から分離されているアーキテクチャを有する前記セルラ通信システム（１０）におけるＳＧＷ制御プレーンエンティティ（ＳＧＷ−Ｃ）（２４）の動作方法であって、
モビリティマネジメントエンティティ（ＭＭＥ）（２２）から、ユーザ装置機器（ＵＥ）（１８）の現在のトラッキングエリア識別子（ＴＡＩ）および現在のＴＡＩリストを受信すること（４０２、４１０）と、
前記ＵＥ（１８）の前記現在のＴＡＩに基づいて前記ＵＥ（１８）のための新たなＳＧＷユーザエンティティ（ＳＧＷ−Ｕ）（２６）を選択すること（４０６）と、
前記ＵＥ（１８）の前記新たなＳＧＷ−Ｕ（２６）が、前記ＵＥ（１８）の前記現在のＴＡＩリストの全てのトラッキングエリア（３６）をサポートするかどうかを判定すること（４１２）と、
前記ＵＥ（１８）の前記新たなＳＧＷ−Ｕ（２６）が、前記ＵＥ（１８）の前記現在のＴＡＩリストの全てのトラッキングエリア（３６）をサポートするかどうかのインジケーションを前記ＭＭＥ（２２）に提供すること（４１４）と、
を含む方法。
【請求項４４】
前記ＵＥ（１８）のための前記新たなＳＧＷ−Ｕ（２６）を選択すること（４０６）は、前記新たなＳＧＷ−Ｕ（２６）が前記ＵＥ（１８）の前記現在のＴＡＩリストの全てのトラッキングエリア（３６）をサポートするように、可能であれば、前記新たなＳＧＷ−Ｕ（２６）を選択すること（４０６）を含む請求項４３に記載の方法。
【請求項４５】
セルラ通信システム（１０）であって、ＳＧＷユーザプレーン機能がＳＧＷ制御プレーン機能から分離されているアーキテクチャを有する前記セルラ通信システム（１０）のサービングゲートウェイ制御プレーンエンティティ（ＳＧＷ−Ｃ）（２４）であって、前記ＳＧＷ−Ｃ（２４）は請求項４３に記載の方法に従って動作するよう適合されるＳＧＷ−Ｃ（２４）。
【請求項４６】
セルラ通信システム（１０）のためのサービングゲートウェイ制御プレーンエンティティ（ＳＧＷ−Ｃ）（２４）であって、前記セルラ通信システム（１０）は、ＳＧＷユーザプレーン機能がＳＧＷ制御プレーン機能から分離されているアーキテクチャを有し、前記ＳＧＷ−Ｃ（２４）は、
モビリティマネジメントエンティティ（ＭＭＥ）（２２）から、ユーザ装置機器（ＵＥ）（１８）の現在のトラッキングエリア識別子（ＴＡＩ）および現在のトラッキングエリア識別子（ＴＡＩ）リストを受信するよう動作可能な受信モジュール（５４）と、
前記ＵＥ（１８）の前記現在のＴＡＩに基づいて前記ＵＥ（１８）のための新たなＳＧＷユーザエンティティ（ＳＧＷ−Ｕ）（２６）を選択するよう動作可能な選択モジュール（５４）と、
前記ＵＥ（２２）の前記新たなＳＧＷ−Ｕ（２６）が、前記ＵＥ（１８）の前記現在のＴＡＩリストの全てのトラッキングエリア（３６）をサポートするかどうかを判定するよう動作可能な判定モジュール（５４）と、
前記ＵＥ（１８）の前記新たなＳＧＷ−Ｕ（２６）が、前記ＵＥ（１８）の前記現在のＴＡＩリストの全てのトラッキングエリア（３６）をサポートするかどうかのインジケーションを前記ＭＭＥ（２２）に提供するよう動作可能な提供モジュール（５４）と、
を有するＳＧＷ−Ｃ（２４）。
【請求項４７】
少なくとも１つのプロセッサで実行される場合に、前記少なくとも１つのプロセッサに請求項３１の何れか１項に係る前記方法を実行させる命令を含むコンピュータプログラム。
【請求項４８】
請求項４７の前記コンピュータプログラムを格納するコンピュータ可読記憶媒体。
【請求項４９】
セルラ通信システム（１０）であって、サービングゲートウェイ（ＳＧＷ）ユーザプレーン機能がＳＧＷ制御プレーン機能から分離されているアーキテクチャを有する、前記セルラ通信システム（１０）は、
サービングゲートウェイ制御プレーンエンティティ（ＳＧＷ−Ｃ）（２４）と、
複数のＳＧＷユーザプレーン（ＳＧＷ−ＵＰ）プール（２８）であって、各々が１つまたは複数のＳＧＷユーザエンティティ（ＳＧＷ−Ｕ）（２６）を有し、各ＳＧＷ−ＵＰプール（２８）が個別のＳＧＷ−ＵＰサービスエリア（３０）を有する、前記複数のＳＧＷ−ＵＰプール（２８）と、
それぞれが１つまたは複数のモビリティマネジメントエンティティ（ＭＭＥ）（２２）を含む複数のＭＭＥプール（３２）と、を含み、
ユーザ装置（ＵＥ）（１８）がＩＤＬＥモードで動作する場合に、前記ＵＥ（１８）が位置する現在のトラッキングエリア（３６）と、前記ＵＥに割当てられたＳＧＷ−Ｕ（２６）との間の接続性が保証されるように、トラッキングエリア（３６）ハンドリングとＳＧＷ−Ｕ（２６）選択とが切り離される、
セルラ通信システム（１０）。
【請求項５０】
前記ＵＥ（１８）からのサービス要求に応じて実行されるサービス要求手順の間、前記現在のトラッキングエリア（３６）と前記ＵＥ（１８）に割当てられた前記ＳＧＷ−Ｕ（２６）との間の接続性が提供されるように、前記ＵＥ（１８）のためにＳＧＷ−Ｕ再割当て手順が実行される請求項４９に記載のセルラ通信システム（１０）。
【手続補正書】
【提出日】平成30年9月18日(2018.9.18)
【手続補正１】
【補正対象書類名】特許請求の範囲
【補正対象項目名】請求項３４
【補正方法】変更
【補正の内容】
【請求項３４】
少なくとも１つのプロセッサで実行される場合に、前記少なくとも１つのプロセッサに請求項３１に係る前記方法を実行させる命令を含むコンピュータプログラム。
【手続補正２】
【補正対象書類名】特許請求の範囲
【補正対象項目名】請求項４７
【補正方法】変更
【補正の内容】
【請求項４７】
少なくとも１つのプロセッサで実行される場合に、前記少なくとも１つのプロセッサに請求項４３に係る前記方法を実行させる命令を含むコンピュータプログラム。
【国際調査報告】
2019502330.tif 000017
2019502330.tif 000018
2019502330.tif 000019
2019502330.tif 000020
2019502330.tif 000021